(57)【要約】  この出願は、端末の分野に関し、アンテナアセンブリ、並びにアンテナチューニング不要な方法及び装置を提供する。この出願において、アンテナアセンブリに含まれるアンテナの数は、ＣＰＥによってサポートされる受信アンテナの数よりも多い。従って、ネットワークが変化するとき、ＣＰＥは、アンテナアセンブリに含まれる複数のアンテナから、受信アンテナとして、ＣＰＥによってサポートされる受信アンテナの数と同じ数の相対的に良好なデータ伝送性能を持つアンテナを選択し得る。すなわち、ＣＰＥは、相対的に良好な信号品質を持つ方向に当該ＣＰＥが揃えられることを確保するために、アンテナの方向を調節することを必要とするのでなく、冗長数のセット済みのアンテナから相対的に良好な受信性能を持つアンテナを選択し得る。アンテナの方向を回転させることによってＣＰＥを相対的に良好な信号品質の方向に揃える必要がないので、ＣＰＥのアンテナの高ゲインが確保されるだけでなく、手動回転によって生じる不便さも回避することができる。さらに、このＣＰＥはアンテナ回転のための回転空間を設ける必要がなく、それにより、ＣＰＥのサイズが縮小され、設置が容易になる。
2021534678.tif 000002
【特許請求の範囲】
【請求項１】
カスタマ構内機器ＣＰＥで使用されるアンテナアセンブリであって、当該アンテナアセンブリは複数のアンテナ面を有し、該複数のアンテナ面の各々が多面体の側面であり、各アンテナ面に少なくとも１つのアンテナが配置され、全てのアンテナ面に配置されたアンテナの総数がターゲット数よりも多く、該ターゲット数は、前記ＣＰＥによってサポートされてデータを同時に受信するために使用される受信アンテナの数である、アンテナアセンブリ。
【請求項２】
各アンテナ面に配置された前記少なくとも１つのアンテナは指向性アンテナである、請求項１に記載のアンテナアセンブリ。
【請求項３】
各アンテナ面が位置する各表面に更に、１つの無指向性アンテナが配置される、請求項１に記載のアンテナアセンブリ。
【請求項４】
前記複数のアンテナ面の各々が電子スイッチに接続され、該電子スイッチは、対応するアンテナ面上のアンテナの有効化と無効化を制御するように構成される、請求項１乃至３のいずれか一項に記載のアンテナアセンブリ。
【請求項５】
前記複数のアンテナ面の各々に配置されたアンテナの数が同じである、請求項１乃至４のいずれか一項に記載のアンテナアセンブリ。
【請求項６】
カスタマ構内機器ＣＰＥによって使用されるアンテナチューニング不要な方法であって、前記ＣＰＥは、請求項１乃至５のいずれか一項に記載のアンテナアセンブリを有し、当該方法は、
ターゲット数に基づいて複数のアンテナ面から少なくとも１つのターゲットアンテナ面を選択し、前記少なくとも１つのターゲットアンテナ面のデータ伝送性能値は第１の閾値よりも高く、前記データ伝送性能値は、前記少なくとも１つのターゲットアンテナ面上のアンテナを介して前記ＣＰＥによってデータを受信することの受信性能を表すために使用され、
前記少なくとも１つのターゲットアンテナ面に含まれるアンテナに基づいてターゲット数のターゲットアンテナを決定し、前記ターゲット数の決定したターゲットアンテナを前記ＣＰＥの受信アンテナとして使用する、
ことを有する、方法。
【請求項７】
ターゲット数に基づいて複数のアンテナ面から少なくとも１つのターゲットアンテナ面を前記選択することは、
前記複数のアンテナ面の各々に配置されたアンテナの数が同じであり、且つ各アンテナ面に配置された各アンテナが指向性アンテナである場合に、前記複数のアンテナ面の各々に配置されたアンテナの前記数に対する前記ターゲット数の比ｋを決定し、
ｋに基づいて前記複数のアンテナ面から前記少なくとも１つのターゲットアンテナ面を選択する、
ことを有する、請求項６に記載の方法。
【請求項８】
ｋに基づいて前記複数のアンテナ面から前記少なくとも１つのターゲットアンテナ面を前記選択することは、
ｋが１より大きい整数である場合に、前記複数のアンテナ面の中のあらゆるｋ個の連続したアンテナ面を１つのアンテナ面コンビネーションに分類して、複数のアンテナ面コンビネーションを取得し、
第１の期間において前記複数のアンテナ面コンビネーションの各々のデータ伝送性能値を順次に取得し、
前記複数のアンテナ面コンビネーションから、前記第１の期間におけるそのデータ伝送性能値が前記第１の閾値よりも高いアンテナ面コンビネーションを選択し、且つ該選択したアンテナ面コンビネーションの中で、前記第１の期間において最大のデータ伝送性能値を持つアンテナ面コンビネーションを決定し、
前記決定したアンテナ面コンビネーションに含まれる少なくとも１つのアンテナ面を、前記少なくとも１つのターゲットアンテナ面として決定する、
ことを有する、請求項７に記載の方法。
【請求項９】
ｋに基づいて前記複数のアンテナ面から前記少なくとも１つのターゲットアンテナ面を前記選択することは、
ｋが１より大きく且つｋが整数でない場合に、ｋを切り捨ててｒを取得し、
前記複数のアンテナ面の中のあらゆるｒ個の連続したアンテナ面を１つのアンテナ面コンビネーションに分類して、複数のアンテナ面コンビネーションを取得し、
第１の期間において前記複数のアンテナ面コンビネーションの各々のデータ伝送性能値を順次に取得し、
前記複数のアンテナ面コンビネーションから、前記第１の期間におけるそのデータ伝送性能値が前記第１の閾値よりも高いアンテナ面コンビネーションを選択し、且つ該選択したアンテナ面コンビネーションの中で、前記第１の期間において最大のデータ伝送性能値を持つアンテナ面コンビネーションを決定し、
前記決定したアンテナ面コンビネーションに含まれる少なくとも１つのアンテナ面と、該少なくとも１つのアンテナ面に隣接するアンテナ面とを、前記少なくとも１つのターゲットアンテナ面として決定する、
ことを有する、請求項７に記載の方法。
【請求項１０】
前記少なくとも１つのターゲットアンテナ面に含まれるアンテナに基づいてターゲット数のターゲットアンテナを前記決定することは、
前記少なくとも１つのアンテナ面に含まれるアンテナの数と前記ターゲット数との間の差Ｔを決定し、
前記少なくとも１つのアンテナ面に隣接するアンテナ面からＴ個のアンテナを選択し、
前記少なくとも１つのアンテナ面の各々に配置されたアンテナと、前記Ｔ個の選択したアンテナとを、前記ターゲット数のターゲットアンテナとして使用する、
ことを有する、請求項９に記載の方法。
【請求項１１】
ｋに基づいて前記複数のアンテナ面から前記少なくとも１つのターゲットアンテナ面を前記選択することは、
ｋが１より大きくない場合に、第１の期間において前記複数のアンテナ面の各々のデータ伝送性能値を取得し、
前記複数のアンテナ面から、前記第１の期間におけるそのデータ伝送性能値が前記第１の閾値よりも高いアンテナ面を選択し、且つ該選択したアンテナ面の中で、前記第１の期間において最大のデータ伝送性能値を持つアンテナ面を決定し、
前記決定したアンテナ面を、前記少なくとも１つのターゲットアンテナ面として決定する、
ことを有する、請求項７に記載の方法。
【請求項１２】
ターゲット数に基づいて複数のアンテナ面から少なくとも１つのターゲットアンテナ面を前記選択することは、
前記複数のアンテナ面の各々に配置されたアンテナの数が同じであり、且つ各アンテナ面が位置する各表面に１つの無指向性アンテナが配置される場合に、前記ターゲット数と複数の無指向性アンテナの数Ｎとの間の差Ｍを決定し、
Ｍ及び第１の値に基づいて前記複数のアンテナ面から前記少なくとも１つのターゲットアンテナ面を選択し、前記第１の値は、前記複数のアンテナ面の各々に配置されたアンテナの前記数である、
ことを有する、請求項６に記載の方法。
【請求項１３】
Ｍ及び第１の値に基づいて前記複数のアンテナ面から前記少なくとも１つのターゲットアンテナ面を前記選択することは、
Ｍが前記第１の値より大きい場合に、前記第１の値に対するＭの比を切り捨ててｗを取得し、
前記複数のアンテナ面の中のあらゆるｗ＋１個の連続したアンテナ面を１つのアンテナ面コンビネーションに分類して、複数のアンテナ面コンビネーションを取得し、
第１の期間において前記複数のアンテナ面コンビネーションの各々のデータ伝送性能値を順次に取得し、
前記複数のアンテナ面コンビネーションから、前記第１の期間におけるそのデータ伝送性能値が前記第１の閾値よりも高いアンテナ面コンビネーションを選択し、且つ該選択したアンテナ面コンビネーションの中で、前記第１の期間において最大のデータ伝送性能値を持つアンテナ面コンビネーションを決定し、
前記決定したアンテナ面コンビネーションに含まれる少なくとも１つのアンテナ面を、前記少なくとも１つのターゲットアンテナ面として決定する、
ことを有し、
対応して、前記少なくとも１つのターゲットアンテナ面に含まれるアンテナに基づいてターゲット数のターゲットアンテナを前記決定することは、
前記少なくとも１つのターゲットアンテナ面に含まれるアンテナからＭ個のアンテナを選択し、
前記Ｍ個の選択したアンテナと前記複数の無指向性アンテナとを、前記ターゲット数のターゲットアンテナとして決定する、
ことを有する、
請求項１２に記載の方法。
【請求項１４】
Ｍ及び第１の値に基づいて前記複数のアンテナ面から前記少なくとも１つのターゲットアンテナ面を前記選択することは、
Ｍが前記第１の値より大きくなく且つＭが０より大きい場合に、第１の期間において前記複数のアンテナ面の各々のデータ伝送性能値を取得し、
前記複数のアンテナ面から、前記第１の期間におけるそのデータ伝送性能値が前記第１の閾値よりも高いアンテナ面を選択し、且つ該選択したアンテナ面の中で、前記第１の期間において最大のデータ伝送性能値を持つアンテナ面を決定し、
前記決定したアンテナ面を前記少なくとも１つのターゲットアンテナ面として決定する、
ことを有し、
対応して、前記少なくとも１つのターゲットアンテナ面に含まれるアンテナに基づいてターゲット数のターゲットアンテナを前記決定することは、
前記少なくとも１つのターゲットアンテナ面に含まれるアンテナからＭ個のアンテナを選択し、
前記Ｍ個の選択したアンテナと前記複数の無指向性アンテナとを、前記ターゲット数のターゲットアンテナとして決定する、
ことを有する、
請求項１２に記載の方法。
【請求項１５】
前記第１の期間において前記複数のアンテナ面コンビネーションの各々のデータ伝送性能値を前記順次に取得することは、
前記複数のアンテナ面コンビネーションの中の任意のアンテナ面コンビネーションＡについて、該アンテナ面コンビネーションＡに含まれる複数のアンテナ面の各々上のアンテナを有効にするとともに、該アンテナ面コンビネーションＡに含まれる前記複数のアンテナ面以外の他のアンテナ面上のアンテナを無効にし、
前記第１の期間において、該アンテナ面コンビネーションＡに含まれる前記複数のアンテナ面上のアンテナを介してデータを受信し、且つ前記第１の期間内の各伝送時間インターバルにおける該アンテナ面コンビネーションＡのリソースブロックの数に対する該アンテナ面コンビネーションＡのスループットの比を決定し、
前記第１の期間内の複数の伝送時間インターバルにおけるリソースブロックの数に対するスループットの比の和を、前記第１の期間における該アンテナ面コンビネーションＡのデータ伝送性能値として決定する、
ことを有する、請求項８、９、又は１３に記載の方法。
【請求項１６】
前記第１の期間において前記複数のアンテナ面の各々のデータ伝送性能値を前記取得することは、
前記複数のアンテナ面の中の任意のアンテナ面Ｂについて、該アンテナ面Ｂ上の少なくとも１つのアンテナを有効にするとともに、該アンテナ面Ｂ以外の他のアンテナ面上のアンテナを無効にし、
前記第１の期間において、該アンテナ面Ｂ上の前記少なくとも１つのアンテナを介してデータを受信し、且つ前記第１の期間内の各伝送時間インターバルにおける該アンテナ面Ｂのリソースブロックの数に対する該アンテナ面Ｂのスループットの比を決定し、
前記第１の期間内の複数の伝送時間インターバルにおけるリソースブロックの数に対する該アンテナ面Ｂのスループットの比の和を、前記第１の期間における該アンテナ面Ｂのデータ伝送性能値として決定する、
ことを有する、請求項１１又は１４に記載の方法。
【請求項１７】
ＣＰＥにて使用されるアンテナチューニング不要な装置であって、前記ＣＰＥは、請求項１乃至５のいずれか一項に記載のアンテナアセンブリを有し、当該装置は、
ターゲット数に基づいて複数のアンテナ面から少なくとも１つのターゲットアンテナ面を選択するように構成された選択モジュールであり、前記少なくとも１つのターゲットアンテナ面のデータ伝送性能値は第１の閾値よりも高く、前記データ伝送性能値は、前記少なくとも１つのターゲットアンテナ面上のアンテナを介して前記ＣＰＥによってデータを受信することの受信性能を表すために使用される、選択モジュールと、
前記少なくとも１つのターゲットアンテナ面に含まれるアンテナに基づいてターゲット数のターゲットアンテナを決定し、前記ターゲット数の決定したターゲットアンテナを前記ＣＰＥの受信アンテナとして使用する、ように構成された決定モジュールと、
を有する、装置。
【請求項１８】
前記選択モジュールは、
前記複数のアンテナ面の各々に配置されたアンテナの数が同じであり、且つ各アンテナ面に配置された各アンテナが指向性アンテナである場合に、前記複数のアンテナ面の各々に配置されたアンテナの前記数に対する前記ターゲット数の比ｋを決定する、ように構成された第１の決定サブモジュールと、
ｋに基づいて前記複数のアンテナ面から前記少なくとも１つのターゲットアンテナ面を選択する、ように構成された第１の選択サブモジュールと、
を有する、請求項１７に記載の装置。
【請求項１９】
前記第１の選択サブモジュールは、具体的に、
ｋが１より大きい整数である場合に、前記複数のアンテナ面の中のあらゆるｋ個の連続したアンテナ面を１つのアンテナ面コンビネーションに分類して、複数のアンテナ面コンビネーションを取得し、
第１の期間において前記複数のアンテナ面コンビネーションの各々のデータ伝送性能値を順次に取得し、
前記複数のアンテナ面コンビネーションから、前記第１の期間におけるそのデータ伝送性能値が前記第１の閾値よりも高いアンテナ面コンビネーションを選択し、且つ該選択したアンテナ面コンビネーションの中で、前記第１の期間において最大のデータ伝送性能値を持つアンテナ面コンビネーションを決定し、
前記決定したアンテナ面コンビネーションに含まれる少なくとも１つのアンテナ面を、前記少なくとも１つのターゲットアンテナ面として決定する、
ように構成される、請求項１８に記載の装置。
【請求項２０】
前記第１の選択サブモジュールは、具体的に、
ｋが１より大きく且つｋが整数でない場合に、ｋを切り捨ててｒを取得し、
前記複数のアンテナ面の中のあらゆるｒ個の連続したアンテナ面を１つのアンテナ面コンビネーションに分類して、複数のアンテナ面コンビネーションを取得し、
第１の期間において前記複数のアンテナ面コンビネーションの各々のデータ伝送性能値を順次に取得し、
前記複数のアンテナ面コンビネーションから、前記第１の期間におけるそのデータ伝送性能値が前記第１の閾値よりも高いアンテナ面コンビネーションを選択し、且つ該選択したアンテナ面コンビネーションの中で、前記第１の期間において最大のデータ伝送性能値を持つアンテナ面コンビネーションを決定し、
前記決定したアンテナ面コンビネーションに含まれる少なくとも１つのアンテナ面と、該少なくとも１つのアンテナ面に隣接するアンテナ面とを、前記少なくとも１つのターゲットアンテナ面として決定する、
ように構成される、請求項１８に記載の装置。
【請求項２１】
前記決定モジュールは、具体的に、
前記少なくとも１つのアンテナ面に含まれるアンテナの数と前記ターゲット数との間の差Ｔを決定し、
前記少なくとも１つのアンテナ面に隣接するアンテナ面からＴ個のアンテナを選択し、
前記少なくとも１つのアンテナ面の各々に配置されたアンテナと、前記Ｔ個の選択したアンテナとを、前記ターゲット数のターゲットアンテナとして使用する、
ように構成される、請求項２０に記載の装置。
【請求項２２】
前記第１の選択サブモジュールは、具体的に、
ｋが１より大きくない場合に、第１の期間において前記複数のアンテナ面の各々のデータ伝送性能値を取得し、
前記複数のアンテナ面から、前記第１の期間におけるそのデータ伝送性能値が前記第１の閾値よりも高いアンテナ面を選択し、且つ該選択したアンテナ面の中で、前記第１の期間において最大のデータ伝送性能値を持つアンテナ面を決定し、
前記決定したアンテナ面を、前記少なくとも１つのターゲットアンテナ面として決定する、
ように構成される、請求項１８に記載の装置。
【請求項２３】
前記選択モジュールは、
前記複数のアンテナ面の各々に配置されたアンテナの数が同じであり、且つ各アンテナ面が位置する各表面に１つの無指向性アンテナが配置される場合に、前記ターゲット数と前記複数のアンテナ面の数Ｎとの間の差Ｍを決定する、ように構成された第２の決定サブモジュールと、
Ｍ及び第１の値に基づいて前記複数のアンテナ面から前記少なくとも１つのターゲットアンテナ面を選択し、前記第１の値は、前記複数のアンテナ面の各々に配置されたアンテナの前記数である、ように構成された第２の選択サブモジュールと、
を有する、請求項１７に記載の装置。
【請求項２４】
前記第２の選択サブモジュールは、具体的に、
Ｍが前記第１の値より大きい場合に、前記第１の値に対するＭの比を切り捨ててｗを取得し、
前記複数のアンテナ面の中のあらゆるｗ＋１個の連続したアンテナ面を１つのアンテナ面コンビネーションに分類して、複数のアンテナ面コンビネーションを取得し、
第１の期間において前記複数のアンテナ面コンビネーションの各々のデータ伝送性能値を順次に取得し、
前記複数のアンテナ面コンビネーションから、前記第１の期間におけるそのデータ伝送性能値が前記第１の閾値よりも高いアンテナ面コンビネーションを選択し、且つ該選択したアンテナ面コンビネーションの中で、前記第１の期間において最大のデータ伝送性能値を持つアンテナ面コンビネーションを決定し、
前記決定したアンテナ面コンビネーションに含まれる少なくとも１つのアンテナ面を、前記少なくとも１つのターゲットアンテナ面として決定する、
ように構成され、
対応して、前記決定モジュールは、具体的に、
前記少なくとも１つのターゲットアンテナ面に含まれるアンテナからＭ個のアンテナを選択し、
前記Ｍ個の選択したアンテナと複数の無指向性アンテナとを、前記ターゲット数のターゲットアンテナとして決定する、
ように構成される、
請求項２３に記載の装置。
【請求項２５】
前記第２の選択サブモジュールは、具体的に、
Ｍが前記第１の値より大きくなく且つＭが０より大きい場合に、第１の期間において前記複数のアンテナ面の各々のデータ伝送性能値を取得し、
前記複数のアンテナ面から、前記第１の期間におけるそのデータ伝送性能値が前記第１の閾値よりも高いアンテナ面を選択し、且つ該選択したアンテナ面の中で、前記第１の期間において最大のデータ伝送性能値を持つアンテナ面を決定し、
前記決定したアンテナ面を前記少なくとも１つのターゲットアンテナ面として決定する、
ように構成され、
対応して、前記決定モジュールは、具体的に、
前記少なくとも１つのターゲットアンテナ面に含まれるアンテナからＭ個のアンテナを選択し、
前記Ｍ個の選択したアンテナと複数の無指向性アンテナとを、前記ターゲット数のターゲットアンテナとして決定する、
ように構成される、
請求項２３に記載の装置。
【請求項２６】
前記選択モジュールは、具体的に、
前記複数のアンテナ面コンビネーションの中の任意のアンテナ面コンビネーションＡについて、該アンテナ面コンビネーションＡに含まれる複数のアンテナ面の各々上のアンテナを有効にするとともに、該アンテナ面コンビネーションＡに含まれる前記複数のアンテナ面以外の他のアンテナ面上のアンテナを無効にし、
前記第１の期間において、該アンテナ面コンビネーションＡに含まれる前記複数のアンテナ面上のアンテナを介してデータを受信し、且つ前記第１の期間内の各伝送時間インターバルにおける該アンテナ面コンビネーションＡのリソースブロックの数に対する該アンテナ面コンビネーションＡのスループットの比を決定し、
前記第１の期間内の複数の伝送時間インターバルにおけるリソースブロックの数に対するスループットの比の和を、前記第１の期間における該アンテナ面コンビネーションＡのデータ伝送性能値として決定する、
ように構成される、請求項１９、２０、又は２４に記載の装置。
【請求項２７】
前記選択モジュールは、具体的に、
前記複数のアンテナ面の中の任意のアンテナ面Ｂについて、該アンテナ面Ｂ上の少なくとも１つのアンテナを有効にするとともに、該アンテナ面Ｂ以外の他のアンテナ面上のアンテナを無効にし、
前記第１の期間において、該アンテナ面Ｂ上の前記少なくとも１つのアンテナを介してデータを受信し、且つ前記第１の期間内の各伝送時間インターバルにおける該アンテナ面Ｂのリソースブロックの数に対する該アンテナ面Ｂのスループットの比を決定し、
前記第１の期間内の複数の伝送時間インターバルにおけるリソースブロックの数に対する該アンテナ面Ｂのスループットの比の和を、前記第１の期間における該アンテナ面Ｂのデータ伝送性能値として決定する、
ように構成される、請求項２２又は２５に記載の装置。
【発明の詳細な説明】
【技術分野】
【０００１】
この出願は、端末技術の分野に関し、特に、アンテナアセンブリ、並びにアンテナチューニング不要（tuning-free）な方法及び装置に関する。
【背景技術】
【０００２】
インターネットサービスの発展に伴い、ブロードバンドインターネットアクセスのネットワーク品質に対してユーザ要求がますます高まっている。しかしながら、一部の遠隔地域では、基地局の配備コストが比較的高いために、２つの隣接する基地局間の距離が比較的大きい。この場合、ネットワーク品質を確保するために、ユーザの住居の近くに無線カスタマ構内機器（Customer  Premise  Equipment、ＣＰＥ）が配置されることがある。あるいは、一部の地域では、ケーブル配備が不都合である又はケーブルの配備コストが比較的高いために、やはりＣＰＥが、ユーザのインターネットアクセスの問題を解決するために配備されることがある。通常、ＣＰＥは、信号を受信するために使用される複数の指向性アンテナを含む。設置中に、相対的に良好な信号品質を持つ方向にＣＰＥが可能な限り揃えられるように、ＣＰＥのアンテナの方向を調節することができる。しかしながら、ＣＰＥを使用する過程において、ネットワークが変化する場合、すなわち、基地局のアンテナの方向が変化する場合、又は基地局が新たに追加される場合、ＣＰＥのアンテナの方向を調節し直す必要がある。
【０００３】
現在、主な調節方法は、熟練者がアンテナを手動で回転させることでアンテナ方向調節を実行するものである。この場合、ＣＰＥはアンテナ回転のための回転空間を設ける必要があり、その結果、ＣＰＥのサイズが比較的大きくなり、設置が困難になる。加えて、手動調節が必要であり、その結果、操作が不便である。これに基づき、上述の問題を回避するために、アンテナチューニング不要な装置及び方法を提供することが喫緊に望まれる。換言すれば、ネットワークが変化するときにアンテナの方向が調節されなくても、ＣＰＥを相対的に良好な信号品質を持つ方向に揃えることができる。
【発明の概要】
【０００４】
この出願は、アンテナを手動で回転させる必要があるために、ＣＰＥのサイズが比較的大きく、設置が困難であり、操作が不便であるという、関連技術の問題を解決するための、アンテナアセンブリ並びにアンテナチューニング不要な方法及び装置を提供する。技術的ソリューションは以下の通りである。
【０００５】
第１の態様によれば、アンテナアセンブリが提供される。当該アンテナアセンブリは、カスタマ構内機器ＣＰＥで使用され、当該アンテナアセンブリは複数のアンテナ面を含み、該複数のアンテナ面の各々が多面体の側面であり、各アンテナ面に少なくとも１つのアンテナが配置され、全てのアンテナ面に配置されたアンテナの総数がターゲット数よりも多く、該ターゲット数は、ＣＰＥによってサポートされてデータを同時に受信するために使用される受信アンテナの数である。
【０００６】
この出願のこの実施形態において、アンテナアセンブリに含まれるアンテナの数は、ＣＰＥによってサポートされる受信アンテナの数よりも多いとし得る。斯くして、ネットワークが変化するとき、ＣＰＥは、複数の含められたアンテナから、受信アンテナとして、ＣＰＥによってサポートされる受信アンテナの数と同じ数の相対的に良好なデータ伝送性能を持つアンテナを選択し得る。すなわち、ＣＰＥは、相対的に良好な信号品質を持つ方向に当該ＣＰＥが揃えられることを確保するために、アンテナの方向を調節することを必要とするのでなく、冗長数のセット済みのアンテナから相対的に良好な受信性能を持つアンテナを選択し得る。アンテナの方向を回転させることによってＣＰＥを相対的に良好な信号品質の方向に揃える必要がないので、ＣＰＥのアンテナの高ゲインが確保されるだけでなく、手動回転によって生じる不便さも回避される。さらに、このＣＰＥはアンテナ回転のための回転空間を設ける必要がないとすることができ、それにより、ＣＰＥのサイズが縮小され、設置が容易になる。
【０００７】
オプションで、各アンテナ面に配置された上記少なくとも１つのアンテナは指向性アンテナである。
【０００８】
オプションで、各アンテナ面が位置する各表面に更に、１つの無指向性アンテナが配置される。
【０００９】
オプションで、上記複数のアンテナ面の各々が電子スイッチに接続され、該電子スイッチは、対応するアンテナ面上のアンテナの有効化と無効化を制御するように構成される。
【００１０】
各アンテナ面に接続された電子スイッチは、対応するアンテナ面上の全てのアンテナの有効化と無効化を一様に制御してもよいし、あるいは、対応するアンテナ面上の各アンテナの有効化と無効化を独立に制御してもよい。換言すれば、アンテナ面上の全てのアンテナが、そのアンテナ面に接続された電子スイッチをオンにすることによって有効にされてもよいし、あるいは、アンテナ面上の任意のアンテナが、そのアンテナ面に接続されたスイッチをオンにすることによって有効にされてもよい。
【００１１】
オプションで、上記複数のアンテナ面の各々に配置されたアンテナの数は同じである。
【００１２】
第２の態様によれば、アンテナチューニング不要な方法が提供される。当該アンテナチューニング不要な方法は、カスタマ構内機器ＣＰＥによって使用され、ＣＰＥは、第１の態様又は第１の態様の取り得る実装のいずれか一に従ったアンテナアセンブリを含み、当該方法は、
ターゲット数に基づいて複数のアンテナ面から少なくとも１つのターゲットアンテナ面を選択し、上記少なくとも１つのターゲットアンテナ面のデータ伝送性能値は第１の閾値よりも高く、データ伝送性能値は、上記少なくとも１つのターゲットアンテナ面上のアンテナを介してＣＰＥによってデータを受信することの受信性能を表すために使用され、
上記少なくとも１つのターゲットアンテナ面に含まれるアンテナに基づいてターゲット数のターゲットアンテナを決定し、ターゲット数の決定したターゲットアンテナをＣＰＥの受信アンテナとして使用する、
ことを含む。
【００１３】
この出願のこの実施形態において、アンテナアセンブリに含まれるアンテナの数は、ＣＰＥによってサポートされる受信アンテナの数よりも多いとし得る。斯くして、ネットワークが変化するとき、ＣＰＥは、複数のアンテナ面から、ターゲット数に基づいて、相対的に良好なデータ伝送性能を持つ少なくとも１つのターゲットアンテナ面を選択し、そして、該少なくとも１つのターゲットアンテナ面に含まれるアンテナに基づいて、ＣＰＥの受信アンテナを決定し得る。すなわち、ＣＰＥは、相対的に良好な信号品質を持つ方向に当該ＣＰＥが揃えられることを確保するために、アンテナの方向を調節することを必要とするのでなく、冗長数のセット済みのアンテナから相対的に良好な受信性能を持つアンテナを選択し得る。アンテナの方向を回転させることによってＣＰＥを相対的に良好な信号品質の方向に揃える必要がないので、ＣＰＥのアンテナの高ゲインが確保されるだけでなく、手動回転によって生じる不便さも回避される。さらに、このＣＰＥはアンテナ回転のための回転空間を設ける必要がないとすることができ、それにより、ＣＰＥのサイズが縮小され、設置が容易になる。
【００１４】
オプションで、ターゲット数に基づいて複数のアンテナ面から少なくとも１つのターゲットアンテナ面を選択することは、
上記複数のアンテナ面の各々に配置されたアンテナの数が同じであり、且つ各アンテナ面に配置された各アンテナが指向性アンテナである場合に、上記複数のアンテナ面の各々に配置されたアンテナの数に対するターゲット数の比ｋを決定し、
ｋに基づいて上記複数のアンテナ面から少なくとも１つのターゲットアンテナ面を選択する、
ことを含む。
【００１５】
オプションで、ｋに基づいて複数のアンテナ面から少なくとも１つのターゲットアンテナ面を選択することは、
ｋが１より大きい整数である場合に、上記複数のアンテナ面の中のあらゆるｋ個の連続したアンテナ面を１つのアンテナ面コンビネーションに分類して、複数のアンテナ面コンビネーションを取得し、
第１の期間において上記複数のアンテナ面コンビネーションの各々のデータ伝送性能値を順次に取得し、
上記複数のアンテナ面コンビネーションから、第１の期間におけるそのデータ伝送性能値が第１の閾値よりも高いアンテナ面コンビネーションを選択し、且つ該選択したアンテナ面コンビネーションの中で、第１の期間において最大のデータ伝送性能値を持つアンテナ面コンビネーションを決定し、
決定したアンテナ面コンビネーションに含まれる少なくとも１つのアンテナ面を、上記少なくとも１つのターゲットアンテナ面として決定する、
ことを含む。
【００１６】
オプションで、ｋに基づいて複数のアンテナ面から少なくとも１つのターゲットアンテナ面を選択することは、
ｋが１より大きく且つｋが整数でない場合に、ｋを切り捨ててｒを取得し、
上記複数のアンテナ面の中のあらゆるｒ個の連続したアンテナ面を１つのアンテナ面コンビネーションに分類して、複数のアンテナ面コンビネーションを取得し、
第１の期間において上記複数のアンテナ面コンビネーションの各々のデータ伝送性能値を順次に取得し、
上記複数のアンテナ面コンビネーションから、第１の期間におけるそのデータ伝送性能値が第１の閾値よりも高いアンテナ面コンビネーションを選択し、且つ該選択したアンテナ面コンビネーションの中で、第１の期間において最大のデータ伝送性能値を持つアンテナ面コンビネーションを決定し、
決定したアンテナ面コンビネーションに含まれる少なくとも１つのアンテナ面と、該少なくとも１つのアンテナ面に隣接するアンテナ面とを、上記少なくとも１つのターゲットアンテナ面として決定する、
ことを含む。
【００１７】
オプションで、少なくとも１つのターゲットアンテナ面に含まれるアンテナに基づいてターゲット数のターゲットアンテナを決定することは、
上記少なくとも１つのアンテナ面に含まれるアンテナの数とターゲット数との間の差Ｔを決定し、
上記少なくとも１つのアンテナ面に隣接するアンテナ面からＴ個のアンテナを選択し、
上記少なくとも１つのアンテナ面の各々に配置されたアンテナと、Ｔ個の選択したアンテナとを、ターゲット数のターゲットアンテナとして使用する、
ことを含む。
【００１８】
オプションで、ｋに基づいて複数のアンテナ面から少なくとも１つのターゲットアンテナ面を選択することは、
ｋが１より大きくない場合に、第１の期間において上記複数のアンテナ面の各々のデータ伝送性能値を取得し、
上記複数のアンテナ面から、第１の期間におけるそのデータ伝送性能値が第１の閾値よりも高いアンテナ面を選択し、且つ該選択したアンテナ面の中で、第１の期間において最大のデータ伝送性能値を持つアンテナ面を決定し、
決定したアンテナ面を、上記少なくとも１つのターゲットアンテナ面として決定する、
ことを含む。
【００１９】
オプションで、ターゲット数に基づいて複数のアンテナ面から少なくとも１つのターゲットアンテナ面を選択することは、
上記複数のアンテナ面の各々に配置されたアンテナの数が同じであり、且つ各アンテナ面が位置する各表面に１つの無指向性アンテナが配置される場合に、ターゲット数と複数の無指向性アンテナの数Ｎとの間の差Ｍを決定し、
Ｍ及び第１の値に基づいて上記複数のアンテナ面から少なくとも１つのターゲットアンテナ面を選択し、第１の値は、上記複数のアンテナ面の各々に配置されたアンテナの数である、
ことを含む。
【００２０】
オプションで、Ｍ及び第１の値に基づいて複数のアンテナ面から少なくとも１つのターゲットアンテナ面を選択することは、
Ｍが第１の値より大きい場合に、第１の値に対するＭの比を切り捨ててｗを取得し、
上記複数のアンテナ面の中のあらゆるｗ＋１個の連続したアンテナ面を１つのアンテナ面コンビネーションに分類して、複数のアンテナ面コンビネーションを取得し、
第１の期間において上記複数のアンテナ面コンビネーションの各々のデータ伝送性能値を順次に取得し、
上記複数のアンテナ面コンビネーションから、第１の期間におけるそのデータ伝送性能値が第１の閾値よりも高いアンテナ面コンビネーションを選択し、且つ該選択したアンテナ面コンビネーションの中で、第１の期間において最大のデータ伝送性能値を持つアンテナ面コンビネーションを決定し、
決定したアンテナ面コンビネーションに含まれる少なくとも１つのアンテナ面を、上記少なくとも１つのターゲットアンテナ面として決定する、
ことを含み、
対応して、上記少なくとも１つのターゲットアンテナ面に含まれるアンテナに基づいてターゲット数のターゲットアンテナを決定することは、
上記少なくとも１つのターゲットアンテナ面に含まれるアンテナからＭ個のアンテナを選択し、
Ｍ個の選択したアンテナと上記複数の無指向性アンテナとを、ターゲット数のターゲットアンテナとして決定する、
ことを含む。
【００２１】
オプションで、Ｍ及び第１の値に基づいて上記複数のアンテナ面から少なくとも１つのターゲットアンテナ面を選択することは、
Ｍが第１の値より大きくなく且つＭが０より大きい場合に、第１の期間において上記複数のアンテナ面の各々のデータ伝送性能値を取得し、
上記複数のアンテナ面から、第１の期間におけるそのデータ伝送性能値が第１の閾値よりも高いアンテナ面を選択し、且つ該選択したアンテナ面の中で、第１の期間において最大のデータ伝送性能値を持つアンテナ面を決定し、
決定したアンテナ面を上記少なくとも１つのターゲットアンテナ面として決定する、
ことを含み、
対応して、上記少なくとも１つのターゲットアンテナ面に含まれるアンテナに基づいてターゲット数のターゲットアンテナを決定することは、
上記少なくとも１つのターゲットアンテナ面に含まれるアンテナからＭ個のアンテナを選択し、
Ｍ個の選択したアンテナと上記複数の無指向性アンテナとを、ターゲット数のターゲットアンテナとして決定する、
ことを含む。
【００２２】
オプションで、第１の期間において上記複数のアンテナ面コンビネーションの各々のデータ伝送性能値を順次に取得することは、
上記複数のアンテナ面コンビネーションの中の任意のアンテナ面コンビネーションＡについて、該アンテナ面コンビネーションＡに含まれる複数のアンテナ面の各々上のアンテナを有効にするとともに、該アンテナ面コンビネーションＡに含まれる複数のアンテナ面以外の他のアンテナ面上のアンテナを無効にし、
第１の期間において、該アンテナ面コンビネーションＡに含まれる複数のアンテナ面上のアンテナを介してデータを受信し、且つ第１の期間内の各伝送時間インターバルにおける該アンテナ面コンビネーションＡのリソースブロックの数に対する該アンテナ面コンビネーションＡのスループットの比を決定し、
第１の期間内の複数の伝送時間インターバルにおけるリソースブロックの数に対するスループットの比の和を、第１の期間における該アンテナ面コンビネーションＡのデータ伝送性能値として決定する、
ことを含む。
【００２３】
オプションで、第１の期間において上記複数のアンテナ面の各々のデータ伝送性能値を取得することは、
上記複数のアンテナ面の中の任意のアンテナ面Ｂについて、該アンテナ面Ｂ上の少なくとも１つのアンテナを有効にするとともに、該アンテナ面Ｂ以外の他のアンテナ面上のアンテナを無効にし、
第１の期間において、該アンテナ面Ｂ上の上記少なくとも１つのアンテナを介してデータを受信し、且つ第１の期間内の各伝送時間インターバルにおける該アンテナ面Ｂのリソースブロックの数に対する該アンテナ面Ｂのスループットの比を決定し、
第１の期間内の複数の伝送時間インターバルにおけるリソースブロックの数に対する該アンテナ面Ｂのスループットの比の和を、第１の期間における該アンテナ面Ｂのデータ伝送性能値として決定する、
ことを含む。
【００２４】
この出願のこの実施形態において、各アンテナ面が位置する各表面に１つの無指向性アンテナが配置される場合、ＣＰＥは、含められた無指向性アンテナの一部又は全てを、受信アンテナの一部として選択するとともに、受信アンテナの残りの部分として、残りの数のアンテナを、含められた指向性アンテナから選択し得る。さらに、ＣＰＥがアンテナを選択する過程において、無指向性アンテナは常に有効にされた状態にある。斯くして、各アンテナ面コンビネーション又は各アンテナ面のデータ伝送性能値を順次に取得する過程において、無指向性アンテナが常に有効にされた状態にあり且つ無指向性アンテナは全方向からの信号を受信することができるので、データ伝送性能値を現在取得中のアンテナ面又はアンテナ面コンビネーションのデータ伝送性能が極めて乏しい場合であっても、無指向性アンテナを使用することによって信号品質を確保することができ、それ故に、この取得過程において信号品質が極めて乏しいという状況が回避される。
【００２５】
第３の態様によれば、アンテナチューニング不要な装置が提供される。当該装置は、第１の態様におけるアンテナアセンブリを含み、当該アンテナチューニング不要な装置は、第２の態様におけるアンテナチューニング不要な方法の動作を実装する機能を有する。当該アンテナチューニング不要な装置は、少なくとも１つのモジュールを含み、該少なくとも１つのモジュールは、第２の態様で提供されるアンテナチューニング不要な方法を実装するように構成される。
【００２６】
第４の態様によれば、アンテナチューニング不要な装置が提供される。当該アンテナチューニング不要な装置は、第１の態様におけるアンテナアセンブリを含み、当該アンテナチューニング不要な装置の構成は更に、プロセッサ及びメモリを含み、メモリは、第２の態様で提供されるアンテナチューニング不要な方法を実行する際に当該アンテナチューニング不要な装置をサポートするために使用されるプログラムを格納するとともに、第２の態様で提供されるアンテナチューニング不要な方法を実装するために使用される関連データを格納するように構成される。プロセッサは、メモリに格納されたプログラムを実行するように構成される。ストレージデバイスのオペレーション装置が更に通信バスを含むことができ、通信バスは、プロセッサとメモリとの間の接続を確立するように構成される。
【００２７】
第５の態様によれば、コンピュータ読み取り可能記憶媒体が提供される。当該コンピュータ読み取り可能記憶媒体は命令を格納しており、該命令がコンピュータ上で実行されるときに、該コンピュータが、第２の態様におけるアンテナチューニング不要な方法を実行する。
【００２８】
第６の態様によれば、命令を含むコンピュータプログラムプロダクトが提供される。当該コンピュータプログラムプロダクトがコンピュータ上で走るときに、該コンピュータが、第２の態様におけるアンテナチューニング不要な方法を実行する。
【００２９】
第３の態様、第４の態様、第５の態様、及び第６の態様において達成される技術的効果は、第１の態様及び第２の態様における対応する技術的手段を使用することによって達成される技術的効果と同様である。詳細をここで再び説明することはしない。
【００３０】
この出願にて提供される技術的ソリューションは、以下の有益な効果をもたらす。
【００３１】
この出願の実施形態は、アンテナアセンブリを提供する。当該アンテナアセンブリは、複数のアンテナ面を含み、各アンテナ面が多面体の側面である。斯くして、各アンテナ面が、１つの方向に向けられ得る。各アンテナ面に少なくとも１つのアンテナが配置され、上記複数のアンテナ面に含まれるアンテナの総数は、ＣＰＥによってサポートされてデータを同時に受信するために使用される受信アンテナの数よりも多い。従って、ネットワークが変化するとき、ＣＰＥは、当該ＣＰＥに含まれる複数のアンテナから、当該ＣＰＥによってサポートされる受信アンテナの数と同じ数のアンテナを、受信アンテナとして選択し得る。分かることには、この出願の実施形態にて提供されるアンテナチューニング不要な装置を使用することにより、ＣＰＥは、相対的に良好な信号品質を持つ方向に当該ＣＰＥが揃えられることを確保するために、アンテナの方向を調節することを必要とするのでなく、冗長数のセット済みのアンテナから相対的に良好な受信性能を持つアンテナを選択し得る。アンテナの方向を調節する必要がないので、手動のアンテナ回転によって生じる不便が回避される。さらに、このＣＰＥはアンテナ回転のための回転空間を設ける必要がないとすることができ、それにより、ＣＰＥのサイズが縮小され、設置が容易になる。
【図面の簡単な説明】
【００３２】
【図１】この出願の一実施形態に従ったアンテナアセンブリの概略構造図である。
【図２】この出願の一実施形態に従ったＣＰＥの概略構造図である。
【図３】この出願の一実施形態に従ったアンテナチューニング不要な方法のフローチャートである。
【図４】この出願の一実施形態に従ったアンテナチューニング不要な方法のフローチャートである。
【図５】この出願の一実施形態に従ったアンテナチューニング不要な装置の概略構造図である。
【図６】この出願の一実施形態に従った選択モジュールのブロック図である。
【図７】本発明の一実施形態に従った他の選択モジュールのブロック図である。
【発明を実施するための形態】
【００３３】
この出願の目的、技術的ソリューション、及び利点をいっそう明瞭にするために、以下にて更に、添付の図面を参照して、本発明の実装を詳細に説明する。
【００３４】
この出願の実施形態を詳細に説明する前に、先ず、この出願の実施形態に関係する適用シナリオを説明する。
【００３５】
現在、一部の農村地域又は遠隔地域では、ユーザの数が少なく、それ故に、それらの地域においてのオペレータによって配備される基地局間の距離は、通常、比較的大きい。この場合、広いカバレッジのシナリオにおいてネットワーク品質を確保するために、ユーザが働いたり生活したりするエリアの近くに屋外ＣＰＥを配備することがある。加えて、一部の地域では、ケーブル配備が不都合である又はケーブルの配備コストが比較的高いために、やはりＣＰＥが、ユーザのインターネットアクセスの問題を解決するために配備されることがある。
【００３６】
通常、ＣＰＥを配備するとき、相対的に良好な信号品質を持つ方向にＣＰＥの受信アンテナを可能な限り揃えることを可能にするために、ＣＰＥの受信アンテナを基地局に可能な限り揃えるようにＣＰＥを調節し得る。ＣＰＥが配備された後、ＣＰＥの受信アンテナが向けられた方向は固定である。しかしながら、ＣＰＥを使用する過程において、例えば基地局を新たに追加する又は基地局のアンテナの方向を調節するなど、オペレータがネットワーク調整を行うことがあり、それにより、ネットワーク変化が生じる。この場合、ＣＰＥの受信アンテナの方向は、相対的に良好な信号品質を持つ方向にもはや揃っていないことがある。これに基づき、この出願の実施形態は、アンテナチューニング不要な装置及び方法を提供する。アンテナチューニング不要な装置はＣＰＥで使用され得る。さらに、ネットワークが変化するとき、この出願の実施形態にて提供されるアンテナチューニング不要な方法は、ＣＰＥの受信アンテナを相対的に良好な信号品質を持つ方向に常に揃え得ることを確保するために使用され得る。
【００３７】
以下、この出願の実施形態にて提供されるアンテナアセンブリを説明する。
【００３８】
この出願の実施形態にて提供されるアンテナアセンブリ１０１はＣＰＥで使用され得る。アンテナアセンブリ１０１は複数のアンテナ面を含み、該複数のアンテナ面の各々が多面体の側面であり、各アンテナ面に少なくとも１つのアンテナが配置され、全てのアンテナ面に配置されたアンテナの総数がターゲット数よりも多く、該ターゲット数は、ＣＰＥによってサポートされてデータを同時に受信するために使用される受信アンテナの数である。
【００３９】
なお、アンテナ面の数は、３、４、５、又はそれより多くであり得る。図１は、４つのアンテナ面を持った、アンテナチューニング不要な装置の一例の概略図である。図１に示すように、４つのアンテナ面１０１１−１０１４の各々は四面体の側面である。各アンテナ面に少なくとも２つのアンテナ１０１５が配置される。
【００４０】
オプションで、各アンテナ面に配置されるアンテナの数は同じとし得る。例えば、図１に示すように、２つのアンテナが各アンテナ面に配置され得る。確かなことには、取り得る一実装において、アンテナ面１０１１及びアンテナ面１０１３の各々には２つのアンテナが配置され、アンテナ面１０１２及びアンテナ面１０１４の各々には別の数のアンテナが配置されてもよい。例えば、３つのアンテナがアンテナ面１０１２及びアンテナ面１０１４の各々に配置される。あるいは、アンテナ面１０１１−１０１４の各々に配置されるアンテナの数は異なる。これは、この出願のこの実施形態において特に限定されることではない。
【００４１】
なお、各アンテナ面に配置される少なくとも２つのアンテナ１０１５は指向性アンテナとし得る。さらに、任意のアンテナ面について、そのアンテナ面に２つの指向性アンテナが配置される場合、それら２つの指向性アンテナは垂直に配置され得る。
【００４２】
オプションで、この出願のこの実施形態において、各アンテナ面が位置する各表面に１つの無指向性アンテナが更に配置されてもよく、無指向性アンテナは、指向性アンテナより上に配置され得る。
【００４３】
オプションで、図１に示すように、複数のアンテナ面の各々が電子スイッチ１０１６に接続され得る。電子スイッチ１０１６がオンにされると、その電子スイッチ１０１６に接続されたアンテナ面上のアンテナが有効にされ、すなわち、その電子スイッチに接続されたアンテナ面上のアンテナが、データを受信するためのＣＰＥの受信アンテナとして使用される。
【００４４】
なお、取り得る一実装において、各アンテナ面に接続される電子スイッチ１０１６は、対応するアンテナ面上の全てのアンテナを一様に制御するように構成されてもよく、すなわち、電子スイッチ１０１６がオンにされるときに、オンにされた電子スイッチ１０１６に接続されたアンテナ面上の全てのアンテナが有効にされる。別の取り得る一実装において、各アンテナ面に接続される電子スイッチ１０１６は、対応するアンテナ面上のアンテナを独立に制御するように構成されてもよく、すなわち、電子スイッチ１０１６は、必要とされる受信アンテナの数に基づいて、電子スイッチ１０１６に接続されたアンテナ面上のアンテナの一部を有効にするように選択されてもよい。
【００４５】
加えて、更に留意すべきことには、この出願のこの実施形態において、アンテナアセンブリの全てのアンテナ面に配置されるアンテナの総数は、ＣＰＥによってサポートされてデータを同時に受信するために使用される受信アンテナの数よりも多い。換言すれば、アンテナアセンブリに含まれるアンテナの数は、ＣＰＥによって必要とされるアンテナの数よりも多い。例えば、ＣＰＥのベースバンドチップが４つの受信アンテナをサポートする、具体的には、ＣＰＥがデータを受信する都度、ＣＰＥは最大４つの受信アンテナを介してデータを受信することをサポートする、と仮定する。この場合、アンテナアセンブリに含まれるアンテナの数は４よりも多い。ＣＰＥのベースバンドチップが８つの受信アンテナをサポートする場合、アンテナアセンブリ内に配置され得るアンテナの数は８よりも多い。
【００４６】
アンテナアセンブリに含まれるアンテナの数は、ＣＰＥによってサポートされる受信アンテナの数よりも多い。従って、ネットワークが変化するとき、ＣＰＥは、当該ＣＰＥに含まれる複数のアンテナから、当該ＣＰＥによってサポートされる受信アンテナの数と同じ数のアンテナを、受信アンテナとして選択し得る。分かることには、この出願のこの実施形態にて提供されるアンテナアセンブリを使用することにより、ＣＰＥは、相対的に良好な信号品質を持つ方向に当該ＣＰＥが揃えられることを確保するために、アンテナの方向を調節することを必要とするのでなく、冗長数のセット済みのアンテナから相対的に良好な受信性能を持つアンテナを選択し得る。アンテナの方向を調節する必要がないので、手動のアンテナ回転によって生じる不便が回避される。さらに、このＣＰＥはアンテナ回転のための回転空間を設ける必要がないとすることができ、それにより、ＣＰＥのサイズが縮小され、設置が容易になる。
【００４７】
図２は、この出願の一実施形態に従ったＣＰＥの概略構成図である。図２に示すように、ＣＰＥは、図１に示したアンテナアセンブリ１０１、送信器１０２、受信器１０３、メモリ１０４、プロセッサ１０５、及び通信バス１０６を含み得る。当業者が理解し得ることには、図２に示すＣＰＥの構成はＣＰＥに対する限定を構成するものではなく、ＣＰＥは、この図に示すものよりも多数若しくは少数のコンポーネントを含んでもよく、一部のコンポーネントを組み合わせてもよく、あるいは異なるコンポーネント構成を有してもよい。これは、本発明のこの実施形態において限定されることではない。
【００４８】
アンテナアセンブリ１０１は、上述の実施形態にて説明したアンテナアセンブリとすることができ、ＣＰＥに、当該ＣＰＥによってサポートされる受信アンテナの数よりも多い数のアンテナを提供し得る。
【００４９】
送信器１０２は、データ、シグナリング、及び／又はこれらに類するものを基地局に送信するように構成され得る。受信器１０３は、基地局によって送信されたデータ、シグナリング、及び／又はこれらに類するものを受信するように構成され得る。
【００５０】
メモリ１０４は、基地局によって送信されたデータを格納するように構成されることができ、メモリ１０４は更に、この出願の実施形態にて提供されるアンテナチューニング不要な方法を実行するのに使用される１つ以上の実行中のプログラム及び／又はモジュールを格納するように構成されることができる。メモリ２０１３は、静的な情報及び命令を格納することができる読み出し専用メモリ（read-only  memory、ＲＯＭ）又は他のタイプの静的記憶デバイスであってもよいし、情報及び命令を格納することができるランダムアクセスメモリ（random  access  memory、ＲＡＭ）又は他のタイプの動的記憶デバイスであってもよいし、期待されるプログラムコードを命令又はデータ構造の形態で搬送又は格納するために使用されることが可能であり且つ集積回路によってアクセスされることが可能な、電気的消去可能プログラム可能読み出し専用メモリ（Electrically  Erasable  Programmable  Read-Only  Memory、ＥＥＰＲＯＭ）、コンパクトディスク読み出し専用メモリ（Compact  Disc  Read-Only  Memory、ＣＤ−ＲＯＭ）若しくは他のコンパクトディスクストレージ、光ディスクストレージ（圧縮光ディスク、レーザディスク、光ディスク、デジタル多用途ディスク、Ｂｌｕ−ｒａｙディスク、若しくはこれらに類するものを含む）、磁気ディスク記憶媒体若しくは他の磁気ストレージ装置、又は他の媒体であってもよいが、これらに限定されない。メモリ１０４は独立に存在してもよく、通信バス１０６を介してプロセッサ１０５に接続される。メモリ１０４は、代わりに、プロセッサ１０５と集積されてもよい。
【００５１】
プロセッサ１０５は、ＣＰＥの制御センターであり、汎用中央処理ユニット（Central  Processing  Unit、以下では略してＣＰＵ）、マイクロプロセッサ、特定用途向け集積回路（Application-Specific  Integrated  Circuit、以下では略してＡＳＩＣ）、又はこのソリューションのプログラム実行を制御するように構成された１つ以上の集積回路とし得る。プロセッサ１０５は、メモリ２０１３に格納されたソフトウェアプログラム及び／又はモジュールを走らせる又は実行することによって、及びメモリ１０４に格納されたデータを呼び出すことによって、この出願の実施形態にて提供されるアンテナチューニング不要な方法を実装し得る。
【００５２】
さらに、プロセッサ１０５及びメモリ１０４は、通信バス１０６を介して情報を伝達し得る。
【００５３】
アンテナアセンブリの上述の説明から分かることには、アンテナアセンブリは、無指向性アンテナを含まずに複数のアンテナ面の各々に配置された少なくとも２つの指向性アンテナを含んでもよいし、あるいは、アンテナアセンブリは、複数の指向性アンテナ及び複数の無指向性アンテナの双方を含んでもよい。これら２つの異なる場合において、この出願の実施形態では、複数のアンテナ面から、ターゲット数に基づいて、少なくとも１つのターゲットアンテナ面が、異なる方法を用いることによって選択されることができ、次いで、少なくとも１つの選択されたターゲットアンテナ面に基づいてターゲット数のターゲットアンテナが決定され、そして、ターゲット数の決定されたターゲットアンテナが、ＣＰＥの受信アンテナとして使用される。次に、この出願の実施形態は、図３を参照して、アンテナアセンブリが複数の指向性アンテナを含むが無指向性アンテナを含まない場合のアンテナチューニング不要な方法の実装プロセスを記述する。図３を参照するに、当該方法は、以下のステップを含み得る。
【００５４】
ステップ３０１：複数のアンテナ面の各々に配置されたアンテナの数が同じであり、且つ各アンテナ面に配置された各アンテナが指向性アンテナである場合、複数のアンテナ面の各々に配置されたアンテナの数に対するターゲット数の比ｋを決定する。
【００５５】
この出願のこの実施形態において、アンテナアセンブリの各アンテナ面に配置されるアンテナの数は同じであってもよいし、異なってもよい。ＣＰＥについて、当該ＣＰＥのメモリが、当該ＣＰＥに含まれるアンテナアセンブリの各アンテナ面の識別子、各アンテナ面に配置されたアンテナのアンテナタイプ、及び各アンテナ面に配置されたアンテナの数の間の対応関係を記憶し得る。これに基づき、ＣＰＥは、記憶された対応関係に基づいて、各アンテナ面に配置されたアンテナの数が同じであるかを決定し得る。各アンテナ面に配置されたアンテナの数が同じである場合、ＣＰＥは、複数のアンテナ面の各々に配置されたアンテナの数に対するターゲット数の比ｋを決定し得る。
【００５６】
ターゲット数は、ＣＰＥによってサポートされる受信アンテナの数である。なお、ＣＰＥによってサポートされる受信アンテナの数は、ＣＰＥのベースバンドチップによって決まる。現在、ＣＰＥによってサポートされる受信アンテナの一般的な数は、２、４、８、１６などである。例えば、ＣＰＥによってサポートされる受信アンテナの数が２である場合、ターゲット数は２であり、ＣＰＥによってサポートされる受信アンテナの数が４である場合、ターゲット数は４である。この出願のこの実施形態において詳細を再び説明することはしない。
【００５７】
ステップ３０２：各アンテナ面に配置されたアンテナの数に対するターゲット数の比ｋに基づいて、複数のアンテナ面から少なくとも１つのターゲットアンテナ面を選択し、該少なくとも１つのターゲットアンテナ面に基づいてターゲット数のターゲットアンテナを決定し、そして、ターゲット数の決定したターゲットアンテナをＣＰＥの受信アンテナとして使用する。
【００５８】
上記少なくとも１つのターゲットアンテナ面のデータ伝送性能値は、第１の閾値よりも高い。
【００５９】
この出願のこの実施形態において、各アンテナ面に配置されたアンテナの数に対するターゲット数の比ｋは、１より大きいこともあれば、１より大きくないこともある。異なる値のｋに基づいて、ＣＰＥは、以下の幾つかの異なる手法で、複数のアンテナ面から少なくとも１つのターゲットアンテナ面を選択し、該少なくとも１つのアンテナ面に基づいてターゲット数のターゲットアンテナを決定し、そして、該ターゲット数のターゲットアンテナをＣＰＥの受信アンテナとして使用し得る。
【００６０】
（１）  ｋが１より大きい整数である場合、複数のアンテナ面の中のあらゆるｋ個の連続したアンテナ面が１つのアンテナ面コンビネーションに分類されて、複数のアンテナ面コンビネーションが取得され、第１の期間において複数のアンテナ面コンビネーションの各々のデータ伝送性能値が順次に取得され、複数のアンテナ面コンビネーションから、第１の期間におけるそのデータ伝送性能値が第１の閾値よりも高いアンテナ面コンビネーションが選択され、且つ該選択されたアンテナ面コンビネーションの中で、第１の期間において最大のデータ伝送性能値を持つアンテナ面コンビネーションに含まれる少なくとも１つのアンテナ面が、上記少なくとも１つのターゲットアンテナ面として決定され、そして、該少なくとも１つのターゲットアンテナ面に含まれる全てのアンテナが、ターゲット数のターゲットアンテナとして決定される。
【００６１】
ｋが１より大きい整数である場合、それは、ｋ個のアンテナ面上のアンテナの総数がターゲット数に等しいことを指し示す。すなわち、ＣＰＥは、ｋ個のアンテナ面に含まれるアンテナを受信アンテナとして使用し得る。さらに、あるアンテナ面が基地局と揃っているとき、そのアンテナ面に隣接する別のアンテナ面上のアンテナを介して受信される信号の品質は、そのアンテナ面の反対にあるアンテナ面上のアンテナを介して受信される信号の品質よりも良好である。従って、ＣＰＥは、複数のアンテナ面から相対的に良好な受信性能を持つｋ個の連続したアンテナ面を選択し、そして、選択したｋ個の連続したアンテナ面を上記少なくとも１つのターゲットアンテナ面として使用し得る。
【００６２】
例えば、ｋ個の連続したアンテナ面を選択するとき、ＣＰＥは、複数のアンテナ面の中のあらゆるｋ個の連続したアンテナ面を１つのアンテナ面コンビネーションに分類することで、複数のアンテナ面コンビネーションを取得し得る。例えば、ターゲット数は８であり、アンテナアセンブリは５つのアンテナ面を含み、且つ各アンテナ面に４つのアンテナが配置されていると仮定する。この場合、ｋは２であり、すなわち、ＣＰＥは、５つのアンテナ面から２つの連続したアンテナ面を選択するだけでよい。説明の容易さのため、５つのアンテナ面に順に１から５の番号を付す。アンテナ面１と２が１つのアンテナ面コンビネーションに分類され、アンテナ面２と３が１つのアンテナ面コンビネーションに分類され、アンテナ面３と４が１つのアンテナ面コンビネーションに分類され、アンテナ面４と５が１つのアンテナ面コンビネーションに分類され、そして、アンテナ面５と１が１つのアンテナ面コンビネーションに分類される。斯くして、５つのアンテナ面コンビネーションが得られる。斯くして、各アンテナ面コンビネーションが、実際に、ターゲット数のアンテナを含む。
【００６３】
複数のアンテナ面コンビネーションを取得した後、ＣＰＥは、第１の期間において複数のアンテナ面コンビネーションの各々のデータ伝送性能値を順次に取得し得る。例えば、複数のアンテナ面コンビネーションの中の任意のアンテナ面コンビネーションＡについて、ＣＰＥは、アンテナ面コンビネーションＡに含まれる複数のアンテナ面の各々上のアンテナを有効にするとともに、アンテナ面コンビネーションＡに含まれる複数のアンテナ面以外の他のアンテナ面上のアンテナを無効にし、第１の期間において、アンテナ面コンビネーションＡに含まれる複数のアンテナ面上のアンテナを介してデータを受信し、且つ、第１の期間内の各伝送時間インターバルにおけるアンテナ面コンビネーションＡのリソースブロックの数に対するアンテナ面コンビネーションＡのスループットの比を決定し、そして、第１の期間内の複数の伝送時間インターバルにおけるリソースブロックの数に対するスループットの比の和を、第１の期間におけるアンテナ面コンビネーションＡのデータ伝送性能値として決定し得る。
【００６４】
なお、ＣＰＥは、アンテナ面コンビネーションＡに含まれる複数のアンテナ面の各々に接続された電子スイッチをオンにすることによって、各アンテナ面上のアンテナを有効にすることができ、アンテナ面コンビネーションＡに含まれる複数のアンテナ面以外の他のアンテナ面について、ＣＰＥは、該他のアンテナ面に接続された電子スイッチをオフにすることによって、該他のアンテナ面上のアンテナを無効にすることができる。斯くして、アンテナ面コンビネーションＡに含まれる全てのアンテナが、現在の受信アンテナとして使用される。この場合、ＣＰＥは、アンテナ面コンビネーションＡに含まれる全てのアンテナを介してデータ信号を受信し得る。そして、ＣＰＥは、タイマーが走る継続時間を第１の期間として、タイマーをスタートさせ得る。タイマーがスタートした瞬間から始めて、ＣＰＥは、各伝送時間インターバルにおけるスループット及びリソースブロックの数を記録し、対応する伝送時間インターバルにおけるリソースブロックの数に対するスループットの比を計算し得る。タイマーが停止するまで、ＣＰＥは、タイマーが走っている間の複数の伝送時間インターバルにおけるリソースブロックの数に対するスループットの比の和を計算し、計算した和を、第１の期間におけるアンテナ面コンビネーションＡのデータ伝送性能値として決定し得る。
【００６５】
第１の期間におけるアンテナ面コンビネーションＡのデータ伝送性能値は、アンテナ面コンビネーションＡに含まれるアンテナが受信アンテナとして使用される場合のＣＰＥの受信性能を表すために使用され得る。データ伝送性能値が高いほど、アンテナ面コンビネーションＡに含まれるアンテナが向いている方向が目標方向により近くて、受信性能がより良いことを意味する。目標方向は、アンテナが基地局と揃うときにアンテナが向く方向である。
【００６６】
複数のアンテナ面コンビネーションの各々について、ＣＰＥは、説明した第１の期間におけるアンテナ面コンビネーションＡのデータ伝送性能値を決定する手法を参照して、第１の期間における各アンテナ面コンビネーションのデータ伝送性能値を決定し得る。第１の期間における各アンテナ面コンビネーションのデータ伝送性能値を決定した後、ＣＰＥは、複数のアンテナ面コンビネーションから、そのデータ伝送性能値が第１の閾値よりも高いアンテナ面コンビネーションを選択し得る。第１の閾値は、複数のアンテナ面コンビネーションの複数のデータ伝送性能値の最小値であってもよいし、あるいは複数のアンテナ面コンビネーションの複数のデータ伝送性能値の平均値であってもよい。
【００６７】
複数のアンテナ面コンビネーションから、そのデータ伝送性能値が第１の閾値よりも高いアンテナ面コンビネーションを選択した後、ＣＰＥは、選択したアンテナ面コンビネーションから、第１の期間において最大のデータ伝送性能値を持つアンテナ面コンビネーションを選択し得る。データ伝送性能値が高いほど、アンテナ面コンビネーションに含まれるアンテナが向いている方向が、アンテナが基地局と揃うときにアンテナが向く方向により近くて、受信性能がより良いことを意味する。従って、最大のデータ伝送性能値を持つアンテナ面コンビネーションは、実際に、ＣＰＥの最良の受信信号品質を確保することができるアンテナ面コンビネーションである。この場合、ＣＰＥは、最大のデータ伝送性能値を持つ選択したアンテナ面コンビネーションに含まれるアンテナを、ターゲット数のアンテナ、すなわち、ＣＰＥの受信アンテナとして使用し得る。
【００６８】
オプションで、取り得る一実装において、複数のアンテナ面コンビネーションから、そのデータ伝送性能値が第１の閾値よりも高いアンテナ面コンビネーションを選択した後、ＣＰＥは、選択したアンテナ面コンビネーションからランダムに１つのアンテナ面コンビネーションを選択し、そして、ランダムに選択したアンテナ面コンビネーションに含まれる少なくとも１つのアンテナ面を、上記少なくとも１つのターゲットアンテナ面として決定してもよい。
【００６９】
（２）  ｋが１より大きく且つｋが整数でない場合、ｋが切り捨てられてｒが取得され、複数のアンテナ面の中のあらゆるｒ個の連続したアンテナ面が１つのアンテナ面コンビネーションに分類されて、複数のアンテナ面コンビネーションが取得され、第１の期間において該複数のアンテナ面コンビネーションの各々のデータ伝送性能値が順次に取得され、該複数のアンテナ面コンビネーションから、第１の期間におけるそのデータ伝送性能値が第１の閾値よりも高いアンテナ面コンビネーションが選択され、且つ該選択されたアンテナ面コンビネーションの中で、第１の期間において最大のデータ伝送性能値を持つアンテナ面コンビネーションが決定され、決定されたアンテナ面コンビネーションに含まれる少なくとも１つのアンテナ面と、該少なくとも１つのアンテナ面に隣接するアンテナ面とが、上記少なくとも１つのターゲットアンテナ面として決定され、該少なくとも１つのアンテナ面に含まれるアンテナの数とターゲット数との間の差Ｔが決定され、該少なくとも１つのアンテナ面に隣接するアンテナ面からＴ個のアンテナが選択され、そして、該少なくとも１つのアンテナ面の各々に配置されたアンテナとＴ個の選択されたアンテナとが、ターゲット数のターゲットアンテナ、すなわち、ＣＰＥの受信アンテナとして決定される。
【００７０】
ｋが１より大きく且つｋが整数でないとき、それは、ターゲット数が、各アンテナ面上のアンテナの数の整数倍ではないことを指し示す。この場合、ＣＰＥは、ターゲット数のターゲットアンテナとして、幾つかのアンテナ面上の全てのアンテナを直接選択することはできず、ＣＰＥは、ｋを切り捨ててｒを得ることができる。例えば、ｋが２．６である場合、ＣＰＥがｋを切り捨てた後に２が得られ、すなわち、ｒは２である。
【００７１】
ｒを決定した後、ＣＰＥは、複数のアンテナ面の中のあらゆるｒ個の連続したアンテナ面を１つのアンテナ面コンビネーションに分類して、複数のアンテナ面コンビネーションを取得し得る。ＣＰＥが複数のアンテナ面の中のあらゆるｒ個の連続したアンテナ面を１つのアンテナ面コンビネーションに分類する実装プロセスについては、複数のアンテナ面の中のあらゆるｋ個の連続したアンテナ面が１つのアンテナ面コンビネーションに分類されるものである上述の実装プロセスを参照されたい。この出願のこの実施形態において、詳細をここで再び説明することはしない。
【００７２】
複数のアンテナ面コンビネーションを得た後、上述した方法を参照して、ＣＰＥは、第１の期間における複数のアンテナ面コンビネーションの各々のデータ伝送性能値を取得し、複数のアンテナ面コンビネーションから、第１の期間におけるそのデータ伝送性能値が第１の閾値よりも高いアンテナ面コンビネーションを選択し、そして、選択したアンテナ面コンビネーションの中で、第１の期間において最大のデータ伝送性能値を持つアンテナ面コンビネーションを決定し得る。
【００７３】
決定された、最大のデータ伝送性能値を持つアンテナ面コンビネーションは、複数のアンテナ面コンビネーションの中にあり且つ現在そのアンテナ方向が目標方向に最も近いアンテナ面コンビネーションである。しかしながら、１つのアンテナ面コンビネーションに含まれるアンテナの総数は、ターゲット数よりも少なく、すなわち、１つのアンテナ面コンビネーションに含まれるアンテナの数は、ＣＰＥによってサポートされる受信アンテナの数よりも少ない。従って、ＣＰＥは更に、アンテナ面コンビネーションに含まれるアンテナの総数とターゲット数との間の差Ｔに基づいて、別のアンテナ面からＴ個のアンテナを選択し得る。斯くして、最大のデータ伝送性能値を持つ選択されたアンテナ面コンビネーションに含まれるアンテナと他のＴ個の選択されたアンテナとが、ターゲット数のターゲットアンテナとして使用され得る。
【００７４】
例えば、選択されたアンテナ面コンビネーションに含まれるアンテナ面上のアンテナの方向は目標方向に最も近いため、該アンテナ面コンビネーションに含まれるアンテナ面に隣接するアンテナ面上のアンテナの方向と目標方向との間の差は、該アンテナ面コンビネーションに含まれるアンテナ面に隣接しないアンテナ面と比較して、小さい。これに基づき、ＣＰＥは、残りのＴ個のアンテナを、該アンテナ面コンビネーションに含まれるアンテナ面に隣接するアンテナ面から選択し得る。
【００７５】
例えば、５つのアンテナ面があり、各アンテナ面に３つのアンテナが配置され、且つターゲット数が８であると仮定する。この場合、ｒは２である。最大のデータ伝送性能値を持つアンテナ面コンビネーションが、アンテナ面２と３を含むアンテナ面コンビネーションであると仮定する。アンテナ面２及び３は合計６つのアンテナを含むので、ＣＰＥは更に２つのアンテナを選択する必要がある。この場合、ＣＰＥは、アンテナ面２に隣接するアンテナ面１から２つのアンテナを選択してもよいし、あるいはアンテナ面３に隣接するアンテナ面４から２つのアンテナを選択してもよい。斯くして、アンテナ面２及びアンテナ面３に含まれる６つのアンテナと、別のアンテナ面から選択された２つのアンテナとが、ＣＰＥの８つの受信アンテナとして使用される。
【００７６】
オプションで、取り得る一実装において、複数のアンテナ面コンビネーションから、そのデータ伝送性能値が第１の閾値よりも高いアンテナ面コンビネーションを選択した後、ＣＰＥは、選択したアンテナ面コンビネーションからランダムに１つのアンテナ面コンビネーションを選択し、そして、ランダムに選択したアンテナ面コンビネーションに含まれる少なくとも１つのアンテナ面を、上記少なくとも１つのターゲットアンテナ面として決定してもよい。
【００７７】
（３）  ｋが１より大きくない場合、第１の期間において複数のアンテナ面の各々のデータ伝送性能値が取得され、複数のアンテナ面から、第１の期間におけるそのデータ伝送性能値が第１の閾値よりも高いアンテナ面が選択され、且つ該選択されたアンテナ面の中で、第１の期間において最大のデータ伝送性能値を持つアンテナ面が、上記少なくとも１つのターゲットアンテナ面として決定され、そして、該少なくとも１つのターゲットアンテナ面上でターゲット数のターゲットアンテナが選択され、且つ選択されたアンテナが、ＣＰＥの受信アンテナとして使用される。
【００７８】
ｋが１より大きくないとき、それは、ターゲット数が各アンテナ面上のアンテナの数以下であること、すなわち、ＣＰＥは複数のアンテナ面から１つのアンテナ面を選択するだけでよいことを指し示す。この場合、ＣＰＥは、第１の期間において複数のアンテナ面の各々のデータ伝送性能値を取得し、複数のアンテナ面から、そのデータ伝送性能値が第１の閾値よりも高いアンテナ面を選択し、選択したアンテナ面の中で、最大のデータ伝送性能値を持つアンテナ面を、ターゲットアンテナ面として決定し、そして、該ターゲットアンテナ面に含まれるアンテナからターゲット数のアンテナを、ＣＰＥの受信アンテナとして選択し得る。第１の閾値は、複数のアンテナ面に対応する複数のデータ伝送性能値の平均値であってもよいし、あるいは複数のアンテナ面に対応する複数のデータ伝送性能値の最小値であってもよい。
【００７９】
例えば、複数のアンテナ面の中の任意のアンテナ面Ｂについて、ＣＰＥは、アンテナ面Ｂ上の少なくとも２つのアンテナを有効にするとともに、アンテナ面Ｂ以外の他のアンテナ面上のアンテナを無効にし、第１の期間においてアンテナ面Ｂ上の該少なくとも２つのアンテナを介してデータを受信し、且つ、第１の期間内の各伝送時間インターバルにおけるアンテナ面Ｂのリソースブロックの数に対するアンテナ面Ｂのスループットの比を決定し、そして、第１の期間内の複数の伝送時間インターバルにおけるリソースブロックの数に対するアンテナ面Ｂのスループットの比の和を、第１の期間におけるアンテナ面Ｂのデータ伝送性能値として決定し得る。
【００８０】
ＣＰＥは、アンテナ面Ｂに接続された電子スイッチをオンにすることによって、アンテナ面Ｂ上の全てのアンテナを有効にするとともに、他のアンテナ面に接続された電子スイッチをオフにすることによって、他のアンテナ面上の全てのアンテナを無効にし得る。斯くして、アンテナ面Ｂ上のアンテナが、現在の受信アンテナとして使用される。この場合、ＣＰＥは、アンテナ面Ｂに配置されたアンテナを介してデータ信号を受信し得る。そして、ＣＰＥは、タイマーが走る継続時間を第１の期間として、タイマーをスタートさせ得る。タイマーがスタートした瞬間から始めて、ＣＰＥは、各伝送時間インターバルにおけるスループット及びリソースブロックの数を記録し、対応する伝送時間インターバルにおけるリソースブロックの数に対するスループットの比を計算し得る。タイマーが停止するまで、ＣＰＥは、タイマーが走っている間の複数の伝送時間インターバルにおけるリソースブロックの数に対するスループットの比の和を計算し、計算した和を、第１の期間におけるアンテナ面Ｂのデータ伝送性能値として決定し得る。
【００８１】
第１の期間における各アンテナ面のデータ伝送性能値が取得されたと判定された後、ｋが１に等しいとき、それは、ターゲット数がアンテナ面上のアンテナの数に等しいことを指し示す。この場合、ＣＰＥは、複数のアンテナ面の中で最大のデータ伝送性能値を持つアンテナ面上の全てのアンテナを、ＣＰＥの受信アンテナとして使用し得る。ｋが１より小さいとき、それは、ターゲット数がアンテナ面上のアンテナの数より少ないことを指し示す。この場合、ＣＰＥは、最大のデータ伝送性能値を持つアンテナ面に配置された複数のアンテナの中のターゲット数のアンテナを、ＣＰＥの受信アンテナとして決定し得る。最大のデータ伝送性能値を持つ選択されたアンテナ面上のアンテナが向いている方向が、目標方向に最も近い。従って、選択されたアンテナ面上のアンテナの全て又は一部をＣＰＥの受信アンテナとして選択することで、より良好なＣＰＥの受信性能を確保することができる。
【００８２】
オプションで、取り得る一実装において、複数のアンテナ面コンビネーションから、そのデータ伝送性能値が第１の閾値よりも高いアンテナ面コンビネーションを選択した後、ＣＰＥは、選択したアンテナ面コンビネーションからランダムに１つのアンテナ面コンビネーションを選択し、そして、ランダムに選択したアンテナ面コンビネーションに含まれる少なくとも１つのアンテナ面を、上記少なくとも１つのターゲットアンテナ面として決定してもよい。
【００８３】
この出願のこの実施形態において、ＣＰＥに含まれるアンテナの数は、当該ＣＰＥによってサポートされる受信アンテナの数よりも多い。従って、ネットワークが変化するとき、ＣＰＥは、複数の含められたアンテナから、受信アンテナとして、当該ＣＰＥによってサポートされる受信アンテナの数と同じ数の相対的に良好なデータ伝送性能を持つアンテナを選択し得る。すなわち、ＣＰＥは、相対的に良好な信号品質を持つ方向に当該ＣＰＥが揃えられることを確保するために、アンテナの方向を調節することを必要とするのでなく、冗長数のセット済みのアンテナから相対的に良好な受信性能を持つアンテナを選択し得る。アンテナの方向を回転させることによってＣＰＥを相対的に良好な信号品質の方向に揃える必要がないので、ＣＰＥの受信アンテナの高ゲインが確保されるときに、ＣＰＥ内にモータを設置する必要がないとともに、アンテナ回転のための回転空間を設ける必要がなく、それにより、ＣＰＥのサイズが縮小され、設置が容易になり、製造コストが削減される。
【００８４】
上述の実施形態は主として、アンテナアセンブリが複数の指向性アンテナを含むが無指向性アンテナを含まない場合に、ＣＰＥが、ターゲット数に基づいて複数のアンテナ面から少なくとも１つのターゲットアンテナ面を選択し、そして、該少なくとも１つのターゲットアンテナ面に基づいてターゲット数のターゲットアンテナを決定する実装プロセスを説明している。以下では、図４を参照して、アンテナアセンブリが複数の指向性アンテナと複数の無指向性アンテナとを含む場合に、ＣＰＥが、ターゲット数に基づいて複数のアンテナ面から少なくとも１つのターゲットアンテナ面を選択し、そして、該少なくとも１つのターゲットアンテナ面に基づいてターゲット数のターゲットアンテナを決定する実装プロセスを説明する。
【００８５】
図４は、この出願の一実施形態に従ったアンテナチューニング不要な方法のフローチャートである。図４に示すように、当該方法は、以下のステップを含む。
【００８６】
ステップ４０１：複数のアンテナ面の各々に配置されたアンテナの数が同じであり、且つ各アンテナ面が位置する各表面に１つの無指向性アンテナが配置されている場合、ターゲット数と複数の無指向性アンテナの数との間の差Ｍを決定する。
【００８７】
この出願のこの実施形態において、各アンテナ面が位置する各表面に１つの無指向性アンテナが配置されている場合、ＣＰＥは、複数の無指向性アンテナから一部又は全ての無指向性アンテナを選択するとともに、複数のアンテナ面に含まれる複数のアンテナから指向性アンテナの一部を選択して、ターゲット数のターゲットアンテナを取得し得る。
【００８８】
ＣＰＥは、先ず、ターゲット数と複数の無指向性アンテナの数との間の差Ｍを計算することができ、そして、ＣＰＥは、Ｍの異なる値に基づいて異なる手法で、無指向性アンテナ及びターゲットアンテナ面を選択し得る。
【００８９】
ステップ４０２：Ｍ及び第１の値に基づいて複数のアンテナ面から少なくとも１つのターゲットアンテナ面を選択し、該少なくとも１つの選択したターゲットアンテナ面に基づいてターゲット数のターゲットアンテナを決定し、そして、ターゲット数の決定したターゲットアンテナ数をＣＰＥの受信アンテナとして使用する。
【００９０】
第１の値は、複数のアンテナ面の各々に配置されたアンテナの数である。少なくとも１つのアンテナが各アンテナ面に配置されるので、第１の値は、１以上の正の整数である。
【００９１】
この出願のこの実施形態において、ＣＰＥは、Ｍの値に基づいて異なる手法で無指向性アンテナ及びターゲットアンテナ面を選択し得る。例えば、ＣＰＥは、先ずＭを第１の値と比較し、比較結果に基づいて少なくとも１つのターゲットアンテナ面を選択し得る。
【００９２】
Ｍが第１の値より大きい場合、ＣＰＥは、第１の値に対するＭの比を切り捨ててｗを取得し、複数のアンテナ面の中のあらゆるｗ＋１個の連続したアンテナ面を１つのアンテナ面コンビネーションに分類して、複数のアンテナ面コンビネーションを取得し、第１の期間において複数のアンテナ面コンビネーションの各々のデータ伝送性能値を順次に取得し、複数のアンテナ面コンビネーションから、第１の期間におけるそのデータ伝送性能値が第１の閾値よりも高いアンテナ面コンビネーションを選択し、且つ該選択したアンテナ面コンビネーションの中で、第１の期間において最大のデータ伝送性能値を持つアンテナ面コンビネーションに含まれる少なくとも１つのアンテナ面を、上記少なくとも１つのターゲットアンテナ面として決定し、該少なくとも１つのターゲットアンテナ面に含まれるアンテナからＭ個のアンテナを選択し、そいて、Ｍ個の選択したアンテナと上記複数の無指向性アンテナとを、ＣＰＥの受信アンテナとして決定し得る。第１の閾値は、複数のアンテナ面コンビネーションに対応する複数のデータ伝送性能値の平均値であってもよいし、あるいは複数のデータ伝送性能値の最小値であってもよい。
【００９３】
なお、ターゲット数とＮとの間の差が第１の値より大きいとき、それは、ＣＰＥに含まれる無指向性アンテナの数よりもターゲット数が多いことを指し示す。この場合、ＣＰＥは、含められた全ての無指向性アンテナを受信アンテナとして使用し得る。さらに、無指向性アンテナの数がターゲット数に達しないため、ＣＰＥは、残りの数のアンテナ、すなわち、Ｍ個の指向性アンテナを、複数の含められた指向性アンテナから選択し、そして、Ｍ個の選択したアンテナと全ての無指向性アンテナとを、ＣＰＥの受信アンテナとして使用し得る。
【００９４】
例えば、ＣＰＥが、Ｍ個の残りのアンテナを複数の含められた指向性アンテナから選択するとき、ＣＰＥは、第１の値に対するＭの比を計算し得る。Ｍが第１の値より大きいので、この比は１より大きい。第１の値は、各アンテナ面上の無指向性アンテナ以外の残りの指向性アンテナの数である。従って、比が１より大きいとき、それは、１つのアンテナ面上の指向性アンテナの数に、無指向性アンテナの数を加えたものが、なおもターゲット数に達し得ないことを指し示す。すなわち、ＣＰＥは、複数のアンテナ面から少なくとも２つのアンテナ面を選択する必要がある。斯くして、少なくとも２つのアンテナ面上の指向性アンテナの数に、無指向性アンテナの数を加えたものが、ターゲット数に達することができる。
【００９５】
これに基づき、ＣＰＥは、第１の値に対するＭの比を切り捨ててｗを取得し、そして、複数のアンテナ面の中のあらゆるｗ＋１個の連続したアンテナ面を１つのアンテナ面コンビネーションに分類して、複数のアンテナ面コンビネーションを取得し得る。次いで、ＣＰＥは、全ての無指向性アンテナを有効にし、そして、上述の実施形態で説明した関連方法を参照して、ＣＰＥは、第１の期間における複数のアンテナ面コンビネーションの各々のデータ伝送性能値を順次に取得し、複数のアンテナ面コンビネーションから、第１の期間において最大のデータ伝送性能値を有持つアンテナ面コンビネーションを選択し得る。データ伝送性能値が高いほど、対応するアンテナ面コンビネーション内のアンテナ面上のアンテナが向いている方向が目標方向により近くて、データ信号を受信する性能がより良いことを意味する。従って、最大のデータ伝送性能値を持つアンテナ面コンビネーションは、実際に、ＣＰＥの最良の受信信号品質を確保することができるアンテナ面コンビネーションである。この場合、ＣＰＥは、残りの受信アンテナとして、該アンテナ面コンビネーションに含まれる指向性アンテナからＭ個の指向性アンテナを選択し得る。
【００９６】
なお、この出願のこの実施形態において、ＣＰＥがこの出願の実施形態にて提供されるアンテナチューニング不要な方法を実行する過程において、ＣＰＥに含まれる複数の無指向性アンテナは常に有効にされた状態にある。斯くして、各アンテナ面コンビネーション又は各アンテナ面のデータ伝送性能値を順次に取得する過程において、無指向性アンテナが常に有効にされた状態にあり且つ無指向性アンテナは全方向からの信号を受信することができるので、データ伝送性能値を現在取得中のアンテナ面又はアンテナ面コンビネーションのデータ伝送性能が極めて乏しい場合であっても、無指向性アンテナを使用することによって信号品質を確保することができ、それ故に、この取得過程において信号品質が極めて乏しいという状況が回避される。
【００９７】
オプションで、取り得る一実装において、複数のアンテナ面コンビネーションから、そのデータ伝送性能値が第１の閾値よりも高いアンテナ面コンビネーションを選択した後、ＣＰＥは、選択したアンテナ面コンビネーションからランダムに１つのアンテナ面コンビネーションを選択し、そして、ランダムに選択したアンテナ面コンビネーションに含まれる少なくとも１つのアンテナ面を、上記少なくとも１つのターゲットアンテナ面として決定してもよい。
【００９８】
オプションで、Ｍが第１の値より大きくない場合、ＣＰＥは更に、Ｍが０より大きいかを決定し、Ｍが０より大きい場合、ＣＰＥは、第１の期間において複数のアンテナ面の各々のデータ伝送性能値を取得し、複数のアンテナ面から、第１の期間におけるそのデータ伝送性能値が第１の閾値よりも高いアンテナ面を選択し、且つ該選択したアンテナ面の中で、第１の期間において最大のデータ伝送性能値を持つアンテナ面を、上記少なくとも１つのターゲットアンテナ面として決定し、該少なくとも１つの決定したターゲットアンテナ面に含まれるアンテナからＭ個のアンテナを選択し、そして、Ｍ個の選択したアンテナと上記複数の無指向性アンテナとを、ターゲット数のターゲットアンテナとして決定し得る。第１の閾値は、複数のアンテナ面に対応する複数のデータ伝送性能値の平均値であってもよいし、あるいは複数のアンテナ面に対応する複数のデータ伝送性能値の最小値であってもよい。
【００９９】
Ｍが０より大きいが、第１の値より大きくないとき、それは、全ての無指向性アンテナが受信アンテナとして使用された後に、残りの受信アンテナの数が各アンテナ面上の指向性アンテナの数よりも少ないことを指し示す。すなわち、ＣＰＥは、残りの数の受信アンテナを、１つのアンテナ面に含まれる複数のアンテナから選択し得る。これに基づき、上述の実施形態で説明した関連方法を参照して、ＣＰＥは、複数のアンテナ面の各々のデータ伝送性能値を取得し、そして、複数のアンテナ面から最大のデータ伝送性能値を持つアンテナ面を選択し得る。データ伝送性能値が高いほど、アンテナ面上のアンテナが向いている方向が目標方向により近いことを意味する。従って、ＣＰＥは、残りの受信アンテナとして、最大のデータ伝送性能値を持つアンテナ面に含まれる指向性アンテナからＭ個の指向性アンテナを選択することで、選択し指向性アンテナが可能な限り基地局と揃うことを確保することができ、それにより、相対的に良好なＣＰＥの受信性能が確保され得る。
【０１００】
オプションで、取り得る一実装において、複数のアンテナ面からそのデータ伝送性能値が第１の閾値よりも高いアンテナ面を選択した後、ＣＰＥは、代わりに、選択したアンテナ面からランダムに１つのアンテナ面を選択し、そして、ランダムに選択されたアンテナ面をターゲットアンテナ面として使用してもよい。
【０１０１】
オプションで、Ｍが０より大きくない場合、それは、ＣＰＥに含まれる無指向性アンテナの数がターゲット数以上であることを指し示す。この場合、ＣＰＥは、複数の含められた無指向性アンテナから、ターゲット数よりも少ない第１の数の無指向性アンテナを選択することができ、選択される第１の数の無指向性アンテナの中のあらゆる２つのアンテナに対応するアンテナ面は隣接しない。第１の数の無指向性アンテナを選択した後、ＣＰＥは、含められた指向性アンテナから第２の数の指向性アンテナを選択し得る。第２の数は、ターゲット数と第１の数との間の差である。
【０１０２】
例えば、ターゲット数が４であり且つＣＰＥに含まれる無指向性アンテナの数が４であると仮定する。この場合、ＣＰＥは、４つのアンテナ面から２つの反対側のアンテナ面を選択し、それら２つの選択したアンテナ面が位置する表面上の２つの無指向性アンテナを、ＣＰＥの４つの受信アンテナのうちの２つとして使用し得る。そして、ＣＰＥは、複数の含められた指向性アンテナから２つの指向性アンテナを選択し、２つの選択した無指向性アンテナと２つの選択した指向性アンテナとを、ＣＰＥの受信アンテナとして使用し得る。
【０１０３】
なお、含められた指向性アンテナからＣＰＥが第２の数の指向性アンテナを選択する実装プロセスについては、含められた指向性アンテナからＣＰＥがＭ個の指向性アンテナを選択するものである上述の実施形態で説明した実装プロセスを参照されたい。この出願のこの実施形態において、詳細をここで再び説明することはしない。
【０１０４】
この出願のこの実施形態において、ＣＰＥに含まれるアンテナの数は、当該ＣＰＥによってサポートされる受信アンテナの数よりも多い。従って、ネットワークが変化するとき、ＣＰＥは、複数の含められたアンテナから、受信アンテナとして、当該ＣＰＥによってサポートされる受信アンテナの数と同じ数の相対的に良好なデータ伝送性能を持つアンテナを選択し得る。すなわち、ＣＰＥは、相対的に良好な信号品質を持つ方向に当該ＣＰＥが揃えられることを確保するために、アンテナの方向を調節することを必要とするのでなく、冗長数のセット済みのアンテナから相対的に良好な受信性能を持つアンテナを選択し得る。アンテナの方向を回転させることによってＣＰＥを相対的に良好な信号品質の方向に揃える必要がないので、ＣＰＥの受信アンテナの高ゲインが確保されるときに、ＣＰＥ内にモータを設置する必要がないとともに、アンテナ回転のための回転空間を設ける必要がなく、それにより、ＣＰＥのサイズが縮小され、設置が容易になり、製造コストが削減される。
【０１０５】
さらに、この出願のこの実施形態において、各アンテナ面に１つの無指向性アンテナが配置される場合、ＣＰＥは、含められた無指向性アンテナのうちの一部又は全ての無指向性アンテナを、受信アンテナの一部として選択するとともに、受信アンテナの残りの部分として、残りの数のアンテナを、含められた指向性アンテナから選択し得る。さらに、選択した無指向性アンテナを決定した後に、ＣＰＥは、選択した無指向性アンテナを有効にし、その後、各アンテナ面コンビネーション又は各アンテナ面のデータ伝送性能値を決定することによって、残りの数の指向性アンテナを選択し得る。斯くして、各アンテナ面コンビネーション又は各アンテナ面のデータ伝送性能値を順次に取得する過程において、無指向性アンテナが常に有効にされた状態にあり且つ無指向性アンテナは全方向からの信号を受信することができるので、データ伝送性能値を現在取得中のアンテナ面又はアンテナ面コンビネーションのデータ伝送性能が極めて乏しい場合であっても、無指向性アンテナを使用することによって信号品質を確保することができ、それ故に、この取得過程において信号品質が極めて乏しいという状況が回避される。
【０１０６】
上述の実施形態は主に、アンテナチューニング不要な装置の各アンテナ面に配置されるアンテナの数が同じである場合に、ＣＰＥが、複数のアンテナ面に含まれる複数のアンテナからターゲット数のアンテナを選択する実装プロセスを説明している。オプションで、この出願の実施形態において、代わりに、各アンテナ面に配置されるアンテナの数が異なってもよい。この場合、ＣＰＥは、各アンテナ面を順に番号付け、そして、ターゲット数に基づいて、第１のアンテナ面上のアンテナから始めて、ターゲット数のアンテナを１つのアンテナ群として順に選択して、複数のアンテナ群を取得し、第１の期間において複数のアンテナ群の各々のデータ伝送性能値を取得し、且つ第１の期間におけるそのデータ伝送性能値が第１の閾値よりも高い少なくとも１つのアンテナ群を、少なくとも１つのターゲットアンテナ群として決定し、そして、該少なくとも１つのターゲットアンテナ群の中で、最大のデータ伝送性能値を持つアンテナ群に含まれるターゲット数のアンテナをＣＰＥの受信アンテナとして使用するか、あるいは該少なくとも１つのターゲットアンテナ群のいずれか１つ内のターゲット数のアンテナをＣＰＥの受信アンテナとして使用するかし得る。ＣＰＥが第１の期間において複数のアンテナ群の各々のデータ伝送性能値を取得する実装については、上述の実施形態で説明した関連方法を参照されたい。この出願のこの実施形態において、詳細をここで再び説明することしない。
【０１０７】
以下にて、この出願の実施形態にて提供されるアンテナチューニング不要な装置を説明する。
【０１０８】
図５は、この出願の一実施形態に従ったアンテナチューニング不要な装置のブロック図である。当該装置は、上述のＣＰＥで使用されることができ、ＣＰＥは、上述の実施形態で説明したアンテナアセンブリを含む。図５に示すように、当該装置は、選択モジュール５０１及び決定モジュール５０２を含む。
【０１０９】
選択モジュール５０１は、ステップ３０１及びステップ３０２にて、ｋに基づいて少なくとも１つのターゲットアンテナ面を選択する動作を実行するように構成され、あるいは、ステップ４０１及びステップ４０２にて、ターゲット数に基づいて少なくとも１つのターゲットアンテナ面を選択する動作を実行するように構成される。
【０１１０】
決定モジュール５０２は、ステップ３０２にて、少なくとも１つのターゲットアンテナ面に基づいてターゲット数のターゲットアンテナを決定し、ターゲット数の決定したターゲットアンテナをＣＰＥの受信アンテナとして使用する動作を実行するように構成され、あるいは、ステップ４０２にて、少なくとも１つの選択したターゲットアンテナ面に基づいてターゲット数のターゲットアンテナを決定し、ターゲット数の決定したターゲットアンテナをＣＰＥの受信アンテナとして使用する動作を実行するように構成される。
【０１１１】
オプションで、図６を参照するに、選択モジュール５０１は、
複数のアンテナ面の各々に配置されたアンテナの数が同じであり、且つ各アンテナ面に配置された各アンテナが指向性アンテナである場合に、複数のアンテナ面の各々に配置されたアンテナの数に対するターゲット数の比ｋを決定する、ように構成された第１の決定サブモジュール５０１１と、
ｋに基づいて複数のアンテナ面から少なくとも１つのターゲットアンテナ面を選択する、ように構成された第１の選択サブモジュール５０１２と、
を含む。
【０１１２】
オプションで、第１の選択サブモジュール５０１２は、具体的に、
ｋが１より大きい整数である場合に、複数のアンテナ面の中のあらゆるｋ個の連続したアンテナ面を１つのアンテナ面コンビネーションに分類して、複数のアンテナ面コンビネーションを取得し、
第１の期間において複数のアンテナ面コンビネーションの各々のデータ伝送性能値を順次に取得し、
複数のアンテナ面コンビネーションから、第１の期間におけるそのデータ伝送性能値が第１の閾値よりも高いアンテナ面コンビネーションを選択し、且つ該選択したアンテナ面コンビネーションの中で、第１の期間において最大のデータ伝送性能値を持つアンテナ面コンビネーションを決定し、
決定したアンテナ面コンビネーションに含まれる少なくとも１つのアンテナ面を、少なくとも１つのターゲットアンテナ面として決定する、
ように構成される。
【０１１３】
オプションで、第１の選択サブモジュール５０１２は、具体的に、
ｋが１より大きく且つｋが整数でない場合に、ｋを切り捨ててｒを取得し、
複数のアンテナ面の中のあらゆるｒ個の連続したアンテナ面を１つのアンテナ面コンビネーションに分類して、複数のアンテナ面コンビネーションを取得し、
第１の期間において複数のアンテナ面コンビネーションの各々のデータ伝送性能値を順次に取得し、
複数のアンテナ面コンビネーションから、第１の期間におけるそのデータ伝送性能値が第１の閾値よりも高いアンテナ面コンビネーションを選択し、且つ該選択したアンテナ面コンビネーションの中で、第１の期間において最大のデータ伝送性能値を持つアンテナ面コンビネーションを決定し、
決定したアンテナ面コンビネーションに含まれる少なくとも１つのアンテナ面と、該少なくとも１つのアンテナ面に隣接するアンテナ面とを、少なくとも１つのターゲットアンテナ面として決定する、
ように構成される。
【０１１４】
オプションで、決定モジュール５０２は、具体的に、
少なくとも１つのアンテナ面に含まれるアンテナの数とターゲット数との間の差Ｔを決定し、
少なくとも１つのアンテナ面に隣接するアンテナ面からＴ個のアンテナを選択し、
少なくとも１つのアンテナ面の各々に配置されたアンテナと、Ｔ個の選択したアンテナとを、ターゲット数のターゲットアンテナとして使用する、
ように構成される。
【０１１５】
オプションで、第１の選択サブモジュール５０１２は、具体的に、
ｋが１より大きくない場合に、第１の期間において複数のアンテナ面の各々のデータ伝送性能値を取得し、
複数のアンテナ面から、第１の期間におけるそのデータ伝送性能値が第１の閾値よりも高いアンテナ面を選択し、且つ該選択したアンテナ面の中で、第１の期間において最大のデータ伝送性能値を持つアンテナ面を決定し、
決定したアンテナ面を、少なくとも１つのターゲットアンテナ面として決定する、
ように構成される。
【０１１６】
オプションで、図７を参照するに、選択モジュール５０１は、
複数のアンテナ面の各々に配置されたアンテナの数が同じであり、且つ各アンテナ面が位置する各表面に１つの無指向性アンテナが配置される場合に、ターゲット数と複数の無指向性アンテナの数Ｎとの間の差Ｍを決定する、ように構成された第２の決定サブモジュール５０１３と、
Ｍ及び第１の値に基づいて複数のアンテナ面から少なくとも１つのターゲットアンテナ面を選択し、第１の値は、複数のアンテナ面の各々に配置されたアンテナの数である、ように構成された第２の選択サブモジュール５０１４と、
を含む。
【０１１７】
オプションで、第２の選択サブモジュール５０１４は、具体的に、
Ｍが第１の値より大きい場合に、第１の値に対するＭの比を切り捨ててｗを取得し、
複数のアンテナ面の中のあらゆるｗ＋１個の連続したアンテナ面を１つのアンテナ面コンビネーションに分類して、複数のアンテナ面コンビネーションを取得し、
第１の期間において複数のアンテナ面コンビネーションの各々のデータ伝送性能値を順次に取得し、
複数のアンテナ面コンビネーションから、第１の期間におけるそのデータ伝送性能値が第１の閾値よりも高いアンテナ面コンビネーションを選択し、且つ該選択したアンテナ面コンビネーションの中で、第１の期間において最大のデータ伝送性能値を持つアンテナ面コンビネーションを決定し、
決定したアンテナ面コンビネーションに含まれる少なくとも１つのアンテナ面を、少なくとも１つのターゲットアンテナ面として決定する、
ように構成され、
対応して、決定モジュール５０２は、具体的に、
少なくとも１つのターゲットアンテナ面に含まれるアンテナからＭ個のアンテナを選択し、
Ｍ個の選択したアンテナと複数の無指向性アンテナとを、ターゲット数のターゲットアンテナとして決定する、
ように構成される。
【０１１８】
オプションで、第２の選択サブモジュールは、具体的に、
Ｍが第１の値より大きくなく且つＭが０より大きい場合に、第１の期間において複数のアンテナ面の各々のデータ伝送性能値を取得し、
複数のアンテナ面から、第１の期間におけるそのデータ伝送性能値が第１の閾値よりも高いアンテナ面を選択し、且つ該選択したアンテナ面の中で、第１の期間において最大のデータ伝送性能値を持つアンテナ面を決定し、
決定したアンテナ面を少なくとも１つのターゲットアンテナ面として決定する、
ように構成され、
対応して、決定モジュール５０２は、具体的に、
少なくとも１つのターゲットアンテナ面に含まれるアンテナからＭ個のアンテナを選択し、
Ｍ個の選択したアンテナと複数の無指向性アンテナとを、ターゲット数のターゲットアンテナとして決定する、
ように構成される。
【０１１９】
オプションで、選択モジュール５０１は、具体的に、
複数のアンテナ面コンビネーションの中の任意のアンテナ面コンビネーションＡについて、該アンテナ面コンビネーションＡに含まれる複数のアンテナ面の各々上のアンテナを有効にするとともに、該アンテナ面コンビネーションＡに含まれる複数のアンテナ面以外の他のアンテナ面上のアンテナを無効にし、
第１の期間において、該アンテナ面コンビネーションＡに含まれる複数のアンテナ面上のアンテナを介してデータを受信し、且つ第１の期間内の各伝送時間インターバルにおける該アンテナ面コンビネーションＡのリソースブロックの数に対する該アンテナ面コンビネーションＡのスループットの比を決定し、
第１の期間内の複数の伝送時間インターバルにおけるリソースブロックの数に対するスループットの比の和を、第１の期間における該アンテナ面コンビネーションＡのデータ伝送性能値として決定する、
ように構成される。
【０１２０】
オプションで、選択モジュール５０１は、具体的に、
複数のアンテナ面の中の任意のアンテナ面Ｂについて、該アンテナ面Ｂ上の少なくとも１つのアンテナを有効にするとともに、該アンテナ面Ｂ以外の他のアンテナ面上のアンテナを無効にし、
第１の期間において、該アンテナ面Ｂ上の少なくとも１つのアンテナを介してデータを受信し、且つ第１の期間内の各伝送時間インターバルにおける該アンテナ面Ｂのリソースブロックの数に対する該アンテナ面Ｂのスループットの比を決定し、
第１の期間内の複数の伝送時間インターバルにおけるリソースブロックの数に対する該アンテナ面Ｂのスループットの比の和を、第１の期間における該アンテナ面Ｂのデータ伝送性能値として決定する、
ように構成される。
【０１２１】
この出願のこの実施形態において、ＣＰＥに含まれるアンテナの数は、当該ＣＰＥによってサポートされる受信アンテナの数よりも多い。従って、ネットワークが変化するとき、ＣＰＥは、複数の含められたアンテナから、受信アンテナとして、ＣＰＥによってサポートされる受信アンテナの数と同じ数の相対的に良好なデータ伝送性能を持つアンテナを選択し得る。すなわち、ＣＰＥは、相対的に良好な信号品質を持つ方向に当該ＣＰＥが揃えられることを確保するために、アンテナの方向を調節することを必要とするのでなく、冗長数のセット済みのアンテナから相対的に良好な受信性能を持つアンテナを選択し得る。アンテナの方向を回転させることによってＣＰＥを相対的に良好な信号品質の方向に揃える必要がないので、ＣＰＥのアンテナの高ゲインが確保されるだけでなく、手動回転によって生じる不便さも回避することができる。さらに、このＣＰＥはアンテナ回転のための回転空間を設ける必要がないとすることができ、それにより、ＣＰＥのサイズが縮小され、設置が容易になる。
【０１２２】
上述の実施形態で提供されたアンテナチューニング不要な装置がアンテナチューニング不要な方法を実行するとき、上述の機能モジュールの分割は、単に、説明のための一例として使用されているに過ぎない。実際の適用において、上述の機能は、要求に基づく実装のために異なる機能モジュールに割り当てられてもよい。すなわち、装置の内部構造は、上述した機能の全て又は一部を実装するように異なる機能モジュールに分割される。また、上述の実施形態で提供されたアンテナチューニング不要な装置と、図１−図４に示した方法実施形態は、同じ概念に属する。アンテナチューニング不要な装置の具体的な実装プロセスについては、方法実施形態を参照されたい。詳細をここで再び説明することはしない。
【０１２３】
上述の実施形態の全て又は一部は、ソフトウェア、ハードウェア、ファームウェア、又はこれらの何らかの組み合わせによって実装され得る。実施形態を実装するのにソフトウェアが使用される場合、実施形態の全て又は一部は、コンピュータプログラムプロダクトの形態で実装され得る。コンピュータプログラムプロダクトは、１つ以上のコンピュータ命令を含む。コンピュータ命令がコンピュータにロードされて実行されるときに、本発明の実施形態に従った手順又は機能の全て又は一部が生成される。コンピュータは、汎用コンピュータ、専用コンピュータ、コンピュータネットワーク、又は他のプログラム可能な装置とし得る。コンピュータ命令は、コンピュータ読み取り可能記憶媒体に格納されることができ、あるいは、コンピュータ読み取り可能記憶媒体から別のコンピュータ読み取り可能記憶媒体に送られることができる。例えば、コンピュータ命令は、ウェブサイト、コンピュータ、サーバ、又はデータセンターから、有線（例えば、同軸ケーブル、光ファイバ、又はデジタル加入者回線（Digital  Subscriber  Line、ＤＳＬ））方式又は無線（例えば、赤外線、無線、又はマイクロ波）方式で、別のウェブサイト、コンピュータ、サーバ、又はデータセンターに送られ得る。コンピュータ読み取り可能記憶媒体は、コンピュータによってアクセスされることが可能な任意の使用可能な媒体であってもよいし、あるいは、１つ以上の使用可能な媒体を統合する例えばサーバ若しくはデータセンターなどのデータストレージ装置であってもよい。使用可能な媒体は、磁気媒体（例えば、フロッピーディスク、ハードディスク、又は磁気テープ）、光媒体（例えば、デジタル多用途ディスク（Digital  Versatile  Disc、ＤＶＤ））、半導体媒体（例えば、ソリッドステートドライブ（Solid  State  Disk、ＳＳＤ））、又はこれらに類するものとし得る。
【０１２４】
すなわち、この出願の一実施形態は、コンピュータ読み取り可能記憶媒体を提供する。コンピュータ読み取り可能記憶媒体がコンピュータ上で実行されるとき、該コンピュータが、図３から図４に示したアンテナチューニング不要な方法のステップを実行する。
【０１２５】
当業者が理解し得ることには、実施形態のステップの全て又は一部は、ハードウェアによって又は関連ハードウェアに指示するプログラムによって実装され得る。プログラムは、コンピュータ読み取り可能記憶媒体に格納され得る。記憶媒体は、読み出し専用メモリ、磁気ディスク、光ディスク、又はこれらに類するものとし得る。
【０１２６】
上述の説明は、この出願にて提供される実施形態であるが、この出願を限定することを意図するものではない。この出願の精神及び原理から逸脱することなく為される如何なる変更、均等置換、又は改良も、この出願の保護範囲に含まれるはずである。
【図１】
2021534678.tif 000003
【図２】
2021534678.tif 000004
【図３】
2021534678.tif 000005
【図４】
2021534678.tif 000006
【図５】
2021534678.tif 000007
【図６】
2021534678.tif 000008
【図７】
2021534678.tif 000009
【手続補正書】
【提出日】令和3年3月16日(2021.3.16)
【手続補正１】
【補正対象書類名】特許請求の範囲
【補正対象項目名】全文
【補正方法】変更
【補正の内容】
【特許請求の範囲】
【請求項１】
カスタマ構内機器（ＣＰＥ）で使用されるアンテナアセンブリであって、当該アンテナアセンブリは複数のアンテナ面を有し、該複数のアンテナ面の各々が多面体の側面であり、各アンテナ面に少なくとも１つのアンテナが配置され、全てのアンテナ面に配置されたアンテナの総数がターゲット数よりも多く、該ターゲット数は、前記ＣＰＥによってサポートされてデータを同時に受信するために使用される受信アンテナの数である、アンテナアセンブリ。
【請求項２】
各アンテナ面に配置された前記少なくとも１つのアンテナは指向性アンテナである、請求項１に記載のアンテナアセンブリ。
【請求項３】
各アンテナ面が位置する各表面に更に、１つの無指向性アンテナが配置される、請求項１に記載のアンテナアセンブリ。
【請求項４】
前記複数のアンテナ面の各々が電子スイッチに接続され、該電子スイッチは、対応するアンテナ面上のアンテナの有効化と無効化を制御するように構成される、請求項１乃至３のいずれか一項に記載のアンテナアセンブリ。
【請求項５】
前記複数のアンテナ面の各々に配置されたアンテナの数が同じである、請求項１乃至４のいずれか一項に記載のアンテナアセンブリ。
【請求項６】
カスタマ構内機器（ＣＰＥ）によって使用されるアンテナチューニング不要な方法であって、前記ＣＰＥは、請求項１乃至５のいずれか一項に記載のアンテナアセンブリを有し、当該方法は、
ターゲット数に基づいて複数のアンテナ面から少なくとも１つのターゲットアンテナ面を選択し、前記少なくとも１つのターゲットアンテナ面のデータ伝送性能値は第１の閾値よりも高く、前記データ伝送性能値は、前記少なくとも１つのターゲットアンテナ面上のアンテナを介して前記ＣＰＥによってデータを受信することの受信性能を表すために使用され、
前記少なくとも１つのターゲットアンテナ面に含まれるアンテナに基づいてターゲット数のターゲットアンテナを決定し、前記ターゲット数の決定したターゲットアンテナを前記ＣＰＥの受信アンテナとして使用する、
ことを有する、方法。
【請求項７】
ターゲット数に基づいて複数のアンテナ面から少なくとも１つのターゲットアンテナ面を前記選択することは、
前記複数のアンテナ面の各々に配置されたアンテナの数が同じであり、且つ各アンテナ面に配置された各アンテナが指向性アンテナである場合に、前記複数のアンテナ面の各々に配置されたアンテナの前記数に対する前記ターゲット数の比ｋを決定し、
ｋに基づいて前記複数のアンテナ面から前記少なくとも１つのターゲットアンテナ面を選択する、
ことを有する、請求項６に記載の方法。
【請求項８】
ｋに基づいて前記複数のアンテナ面から前記少なくとも１つのターゲットアンテナ面を前記選択することは、
ｋが１より大きい整数である場合に、前記複数のアンテナ面の中のあらゆるｋ個の連続したアンテナ面を１つのアンテナ面コンビネーションに分類して、複数のアンテナ面コンビネーションを取得し、
第１の期間において前記複数のアンテナ面コンビネーションの各々のデータ伝送性能値を順次に取得し、
前記複数のアンテナ面コンビネーションから、前記第１の期間におけるそのデータ伝送性能値が前記第１の閾値よりも高いアンテナ面コンビネーションを選択し、且つ該選択したアンテナ面コンビネーションの中で、前記第１の期間において最大のデータ伝送性能値を持つアンテナ面コンビネーションを決定し、
前記決定したアンテナ面コンビネーションに含まれる少なくとも１つのアンテナ面を、前記少なくとも１つのターゲットアンテナ面として決定する、
ことを有する、請求項７に記載の方法。
【請求項９】
ｋに基づいて前記複数のアンテナ面から前記少なくとも１つのターゲットアンテナ面を前記選択することは、
ｋが１より大きく且つｋが整数でない場合に、ｋを切り捨ててｒを取得し、
前記複数のアンテナ面の中のあらゆるｒ個の連続したアンテナ面を１つのアンテナ面コンビネーションに分類して、複数のアンテナ面コンビネーションを取得し、
第１の期間において前記複数のアンテナ面コンビネーションの各々のデータ伝送性能値を順次に取得し、
前記複数のアンテナ面コンビネーションから、前記第１の期間におけるそのデータ伝送性能値が前記第１の閾値よりも高いアンテナ面コンビネーションを選択し、且つ該選択したアンテナ面コンビネーションの中で、前記第１の期間において最大のデータ伝送性能値を持つアンテナ面コンビネーションを決定し、
前記決定したアンテナ面コンビネーションに含まれる少なくとも１つのアンテナ面と、該少なくとも１つのアンテナ面に隣接するアンテナ面とを、前記少なくとも１つのターゲットアンテナ面として決定する、
ことを有する、請求項７に記載の方法。
【請求項１０】
前記少なくとも１つのターゲットアンテナ面に含まれるアンテナに基づいてターゲット数のターゲットアンテナを前記決定することは、
前記少なくとも１つのアンテナ面に含まれるアンテナの数と前記ターゲット数との間の差Ｔを決定し、
前記少なくとも１つのアンテナ面に隣接するアンテナ面からＴ個のアンテナを選択し、
前記少なくとも１つのアンテナ面の各々に配置されたアンテナと、前記Ｔ個の選択したアンテナとを、前記ターゲット数のターゲットアンテナとして使用する、
ことを有する、請求項９に記載の方法。
【請求項１１】
ｋに基づいて前記複数のアンテナ面から前記少なくとも１つのターゲットアンテナ面を前記選択することは、
ｋが１より大きくない場合に、第１の期間において前記複数のアンテナ面の各々のデータ伝送性能値を取得し、
前記複数のアンテナ面から、前記第１の期間におけるそのデータ伝送性能値が前記第１の閾値よりも高いアンテナ面を選択し、且つ該選択したアンテナ面の中で、前記第１の期間において最大のデータ伝送性能値を持つアンテナ面を決定し、
前記決定したアンテナ面を、前記少なくとも１つのターゲットアンテナ面として決定する、
ことを有する、請求項７に記載の方法。
【請求項１２】
ターゲット数に基づいて複数のアンテナ面から少なくとも１つのターゲットアンテナ面を前記選択することは、
前記複数のアンテナ面の各々に配置されたアンテナの数が同じであり、且つ各アンテナ面が位置する各表面に１つの無指向性アンテナが配置される場合に、前記ターゲット数と複数の無指向性アンテナの数Ｎとの間の差Ｍを決定し、
Ｍ及び第１の値に基づいて前記複数のアンテナ面から前記少なくとも１つのターゲットアンテナ面を選択し、前記第１の値は、前記複数のアンテナ面の各々に配置されたアンテナの前記数である、
ことを有する、請求項６に記載の方法。
【請求項１３】
Ｍ及び第１の値に基づいて前記複数のアンテナ面から前記少なくとも１つのターゲットアンテナ面を前記選択することは、
Ｍが前記第１の値より大きい場合に、前記第１の値に対するＭの比を切り捨ててｗを取得し、
前記複数のアンテナ面の中のあらゆるｗ＋１個の連続したアンテナ面を１つのアンテナ面コンビネーションに分類して、複数のアンテナ面コンビネーションを取得し、
第１の期間において前記複数のアンテナ面コンビネーションの各々のデータ伝送性能値を順次に取得し、
前記複数のアンテナ面コンビネーションから、前記第１の期間におけるそのデータ伝送性能値が前記第１の閾値よりも高いアンテナ面コンビネーションを選択し、且つ該選択したアンテナ面コンビネーションの中で、前記第１の期間において最大のデータ伝送性能値を持つアンテナ面コンビネーションを決定し、
前記決定したアンテナ面コンビネーションに含まれる少なくとも１つのアンテナ面を、前記少なくとも１つのターゲットアンテナ面として決定する、
ことを有し、
対応して、前記少なくとも１つのターゲットアンテナ面に含まれるアンテナに基づいてターゲット数のターゲットアンテナを前記決定することは、
前記少なくとも１つのターゲットアンテナ面に含まれるアンテナからＭ個のアンテナを選択し、
前記Ｍ個の選択したアンテナと前記複数の無指向性アンテナとを、前記ターゲット数のターゲットアンテナとして決定する、
ことを有する、
請求項１２に記載の方法。
【請求項１４】
Ｍ及び第１の値に基づいて前記複数のアンテナ面から前記少なくとも１つのターゲットアンテナ面を前記選択することは、
Ｍが前記第１の値より大きくなく且つＭが０より大きい場合に、第１の期間において前記複数のアンテナ面の各々のデータ伝送性能値を取得し、
前記複数のアンテナ面から、前記第１の期間におけるそのデータ伝送性能値が前記第１の閾値よりも高いアンテナ面を選択し、且つ該選択したアンテナ面の中で、前記第１の期間において最大のデータ伝送性能値を持つアンテナ面を決定し、
前記決定したアンテナ面を前記少なくとも１つのターゲットアンテナ面として決定する、
ことを有し、
対応して、前記少なくとも１つのターゲットアンテナ面に含まれるアンテナに基づいてターゲット数のターゲットアンテナを前記決定することは、
前記少なくとも１つのターゲットアンテナ面に含まれるアンテナからＭ個のアンテナを選択し、
前記Ｍ個の選択したアンテナと前記複数の無指向性アンテナとを、前記ターゲット数のターゲットアンテナとして決定する、
ことを有する、
請求項１２に記載の方法。
【請求項１５】
前記第１の期間において前記複数のアンテナ面コンビネーションの各々のデータ伝送性能値を前記順次に取得することは、
前記複数のアンテナ面コンビネーションの中の任意のアンテナ面コンビネーションＡについて、該アンテナ面コンビネーションＡに含まれる複数のアンテナ面の各々上のアンテナを有効にするとともに、該アンテナ面コンビネーションＡに含まれる前記複数のアンテナ面以外の他のアンテナ面上のアンテナを無効にし、
前記第１の期間において、該アンテナ面コンビネーションＡに含まれる前記複数のアンテナ面上のアンテナを介してデータを受信し、且つ前記第１の期間内の各伝送時間インターバルにおける該アンテナ面コンビネーションＡのリソースブロックの数に対する該アンテナ面コンビネーションＡのスループットの比を決定し、
前記第１の期間内の複数の伝送時間インターバルにおけるリソースブロックの数に対するスループットの比の和を、前記第１の期間における該アンテナ面コンビネーションＡのデータ伝送性能値として決定する、
ことを有する、請求項８、９、又は１３に記載の方法。
【請求項１６】
前記第１の期間において前記複数のアンテナ面の各々のデータ伝送性能値を前記取得することは、
前記複数のアンテナ面の中の任意のアンテナ面Ｂについて、該アンテナ面Ｂ上の少なくとも１つのアンテナを有効にするとともに、該アンテナ面Ｂ以外の他のアンテナ面上のアンテナを無効にし、
前記第１の期間において、該アンテナ面Ｂ上の前記少なくとも１つのアンテナを介してデータを受信し、且つ前記第１の期間内の各伝送時間インターバルにおける該アンテナ面Ｂのリソースブロックの数に対する該アンテナ面Ｂのスループットの比を決定し、
前記第１の期間内の複数の伝送時間インターバルにおけるリソースブロックの数に対する該アンテナ面Ｂのスループットの比の和を、前記第１の期間における該アンテナ面Ｂのデータ伝送性能値として決定する、
ことを有する、請求項１１又は１４に記載の方法。
【請求項１７】
ＣＰＥにて使用されるアンテナチューニング不要な装置であって、前記ＣＰＥは、請求項１乃至５のいずれか一項に記載のアンテナアセンブリを有し、当該装置は、
ターゲット数に基づいて複数のアンテナ面から少なくとも１つのターゲットアンテナ面を選択するように構成された選択モジュールであり、前記少なくとも１つのターゲットアンテナ面のデータ伝送性能値は第１の閾値よりも高く、前記データ伝送性能値は、前記少なくとも１つのターゲットアンテナ面上のアンテナを介して前記ＣＰＥによってデータを受信することの受信性能を表すために使用される、選択モジュールと、
前記少なくとも１つのターゲットアンテナ面に含まれるアンテナに基づいてターゲット数のターゲットアンテナを決定し、前記ターゲット数の決定したターゲットアンテナを前記ＣＰＥの受信アンテナとして使用する、ように構成された決定モジュールと、
を有する、装置。
【請求項１８】
前記選択モジュールは、
前記複数のアンテナ面の各々に配置されたアンテナの数が同じであり、且つ各アンテナ面に配置された各アンテナが指向性アンテナである場合に、前記複数のアンテナ面の各々に配置されたアンテナの前記数に対する前記ターゲット数の比ｋを決定する、ように構成された第１の決定サブモジュールと、
ｋに基づいて前記複数のアンテナ面から前記少なくとも１つのターゲットアンテナ面を選択する、ように構成された第１の選択サブモジュールと、
を有する、請求項１７に記載の装置。
【請求項１９】
前記第１の選択サブモジュールは、
ｋが１より大きい整数である場合に、前記複数のアンテナ面の中のあらゆるｋ個の連続したアンテナ面を１つのアンテナ面コンビネーションに分類して、複数のアンテナ面コンビネーションを取得し、
第１の期間において前記複数のアンテナ面コンビネーションの各々のデータ伝送性能値を順次に取得し、
前記複数のアンテナ面コンビネーションから、前記第１の期間におけるそのデータ伝送性能値が前記第１の閾値よりも高いアンテナ面コンビネーションを選択し、且つ該選択したアンテナ面コンビネーションの中で、前記第１の期間において最大のデータ伝送性能値を持つアンテナ面コンビネーションを決定し、
前記決定したアンテナ面コンビネーションに含まれる少なくとも１つのアンテナ面を、前記少なくとも１つのターゲットアンテナ面として決定する、
ように構成される、請求項１８に記載の装置。
【請求項２０】
前記第１の選択サブモジュールは、
ｋが１より大きく且つｋが整数でない場合に、ｋを切り捨ててｒを取得し、
前記複数のアンテナ面の中のあらゆるｒ個の連続したアンテナ面を１つのアンテナ面コンビネーションに分類して、複数のアンテナ面コンビネーションを取得し、
第１の期間において前記複数のアンテナ面コンビネーションの各々のデータ伝送性能値を順次に取得し、
前記複数のアンテナ面コンビネーションから、前記第１の期間におけるそのデータ伝送性能値が前記第１の閾値よりも高いアンテナ面コンビネーションを選択し、且つ該選択したアンテナ面コンビネーションの中で、前記第１の期間において最大のデータ伝送性能値を持つアンテナ面コンビネーションを決定し、
前記決定したアンテナ面コンビネーションに含まれる少なくとも１つのアンテナ面と、該少なくとも１つのアンテナ面に隣接するアンテナ面とを、前記少なくとも１つのターゲットアンテナ面として決定する、
ように構成される、請求項１８に記載の装置。
【請求項２１】
前記決定モジュールは、
前記少なくとも１つのアンテナ面に含まれるアンテナの数と前記ターゲット数との間の差Ｔを決定し、
前記少なくとも１つのアンテナ面に隣接するアンテナ面からＴ個のアンテナを選択し、
前記少なくとも１つのアンテナ面の各々に配置されたアンテナと、前記Ｔ個の選択したアンテナとを、前記ターゲット数のターゲットアンテナとして使用する、
ように構成される、請求項２０に記載の装置。
【請求項２２】
前記第１の選択サブモジュールは、
ｋが１より大きくない場合に、第１の期間において前記複数のアンテナ面の各々のデータ伝送性能値を取得し、
前記複数のアンテナ面から、前記第１の期間におけるそのデータ伝送性能値が前記第１の閾値よりも高いアンテナ面を選択し、且つ該選択したアンテナ面の中で、前記第１の期間において最大のデータ伝送性能値を持つアンテナ面を決定し、
前記決定したアンテナ面を、前記少なくとも１つのターゲットアンテナ面として決定する、
ように構成される、請求項１８に記載の装置。
【請求項２３】
前記選択モジュールは、
前記複数のアンテナ面の各々に配置されたアンテナの数が同じであり、且つ各アンテナ面が位置する各表面に１つの無指向性アンテナが配置される場合に、前記ターゲット数と前記複数のアンテナ面の数Ｎとの間の差Ｍを決定する、ように構成された第２の決定サブモジュールと、
Ｍ及び第１の値に基づいて前記複数のアンテナ面から前記少なくとも１つのターゲットアンテナ面を選択し、前記第１の値は、前記複数のアンテナ面の各々に配置されたアンテナの前記数である、ように構成された第２の選択サブモジュールと、
を有する、請求項１７に記載の装置。
【請求項２４】
前記第２の選択サブモジュールは、
Ｍが前記第１の値より大きい場合に、前記第１の値に対するＭの比を切り捨ててｗを取得し、
前記複数のアンテナ面の中のあらゆるｗ＋１個の連続したアンテナ面を１つのアンテナ面コンビネーションに分類して、複数のアンテナ面コンビネーションを取得し、
第１の期間において前記複数のアンテナ面コンビネーションの各々のデータ伝送性能値を順次に取得し、
前記複数のアンテナ面コンビネーションから、前記第１の期間におけるそのデータ伝送性能値が前記第１の閾値よりも高いアンテナ面コンビネーションを選択し、且つ該選択したアンテナ面コンビネーションの中で、前記第１の期間において最大のデータ伝送性能値を持つアンテナ面コンビネーションを決定し、
前記決定したアンテナ面コンビネーションに含まれる少なくとも１つのアンテナ面を、前記少なくとも１つのターゲットアンテナ面として決定する、
ように構成され、
対応して、前記決定モジュールは、
前記少なくとも１つのターゲットアンテナ面に含まれるアンテナからＭ個のアンテナを選択し、
前記Ｍ個の選択したアンテナと複数の無指向性アンテナとを、前記ターゲット数のターゲットアンテナとして決定する、
ように構成される、
請求項２３に記載の装置。
【請求項２５】
前記第２の選択サブモジュールは、
Ｍが前記第１の値より大きくなく且つＭが０より大きい場合に、第１の期間において前記複数のアンテナ面の各々のデータ伝送性能値を取得し、
前記複数のアンテナ面から、前記第１の期間におけるそのデータ伝送性能値が前記第１の閾値よりも高いアンテナ面を選択し、且つ該選択したアンテナ面の中で、前記第１の期間において最大のデータ伝送性能値を持つアンテナ面を決定し、
前記決定したアンテナ面を前記少なくとも１つのターゲットアンテナ面として決定する、
ように構成され、
対応して、前記決定モジュールは、
前記少なくとも１つのターゲットアンテナ面に含まれるアンテナからＭ個のアンテナを選択し、
前記Ｍ個の選択したアンテナと複数の無指向性アンテナとを、前記ターゲット数のターゲットアンテナとして決定する、
ように構成される、
請求項２３に記載の装置。
【請求項２６】
前記選択モジュールは、
前記複数のアンテナ面コンビネーションの中の任意のアンテナ面コンビネーションＡについて、該アンテナ面コンビネーションＡに含まれる複数のアンテナ面の各々上のアンテナを有効にするとともに、該アンテナ面コンビネーションＡに含まれる前記複数のアンテナ面以外の他のアンテナ面上のアンテナを無効にし、
前記第１の期間において、該アンテナ面コンビネーションＡに含まれる前記複数のアンテナ面上のアンテナを介してデータを受信し、且つ前記第１の期間内の各伝送時間インターバルにおける該アンテナ面コンビネーションＡのリソースブロックの数に対する該アンテナ面コンビネーションＡのスループットの比を決定し、
前記第１の期間内の複数の伝送時間インターバルにおけるリソースブロックの数に対するスループットの比の和を、前記第１の期間における該アンテナ面コンビネーションＡのデータ伝送性能値として決定する、
ように構成される、請求項１９、２０、又は２４に記載の装置。
【請求項２７】
前記選択モジュールは、
前記複数のアンテナ面の中の任意のアンテナ面Ｂについて、該アンテナ面Ｂ上の少なくとも１つのアンテナを有効にするとともに、該アンテナ面Ｂ以外の他のアンテナ面上のアンテナを無効にし、
前記第１の期間において、該アンテナ面Ｂ上の前記少なくとも１つのアンテナを介してデータを受信し、且つ前記第１の期間内の各伝送時間インターバルにおける該アンテナ面Ｂのリソースブロックの数に対する該アンテナ面Ｂのスループットの比を決定し、
前記第１の期間内の複数の伝送時間インターバルにおけるリソースブロックの数に対する該アンテナ面Ｂのスループットの比の和を、前記第１の期間における該アンテナ面Ｂのデータ伝送性能値として決定する、
ように構成される、請求項２２又は２５に記載の装置。
【手続補正２】
【補正対象書類名】明細書
【補正対象項目名】０００２
【補正方法】変更
【補正の内容】
【０００２】
インターネットサービスの発展に伴い、ブロードバンドインターネットアクセスのネットワーク品質に対してユーザ要求がますます高まっている。しかしながら、一部の遠隔地域では、基地局の配備コストが比較的高いために、２つの隣接する基地局間の距離が比較的大きい。この場合、ネットワーク品質を確保するために、ユーザの住居の近くに無線カスタマ構内機器（Customer  Premises  Equipment、ＣＰＥ）が配置されることがある。あるいは、一部の地域では、ケーブル配備が不都合である又はケーブルの配備コストが比較的高いために、やはりＣＰＥが、ユーザのインターネットアクセスの問題を解決するために配備されることがある。通常、ＣＰＥは、信号を受信するために使用される複数の指向性アンテナを含む。設置中に、相対的に良好な信号品質を持つ方向にＣＰＥが可能な限り揃えられるように、ＣＰＥのアンテナの方向を調節することができる。しかしながら、ＣＰＥを使用する過程において、ネットワークが変化する場合、すなわち、基地局のアンテナの方向が変化する場合、又は基地局が新たに追加される場合、ＣＰＥのアンテナの方向を調節し直す必要がある。
【手続補正３】
【補正対象書類名】明細書
【補正対象項目名】００５０
【補正方法】変更
【補正の内容】
【００５０】
メモリ１０４は、基地局によって送信されたデータを格納するように構成されることができ、メモリ１０４は更に、この出願の実施形態にて提供されるアンテナチューニング不要な方法を実行するのに使用される１つ以上の実行中のプログラム及び／又はモジュールを格納するように構成されることができる。メモリ１０４は、静的な情報及び命令を格納することができる読み出し専用メモリ（read-only  memory、ＲＯＭ）又は他のタイプの静的記憶デバイスであってもよいし、情報及び命令を格納することができるランダムアクセスメモリ（random  access  memory、ＲＡＭ）又は他のタイプの動的記憶デバイスであってもよいし、期待されるプログラムコードを命令又はデータ構造の形態で搬送又は格納するために使用されることが可能であり且つ集積回路によってアクセスされることが可能な、電気的消去可能プログラム可能読み出し専用メモリ（Electrically  Erasable  Programmable  Read-Only  Memory、ＥＥＰＲＯＭ）、コンパクトディスク読み出し専用メモリ（Compact  Disc  Read-Only  Memory、ＣＤ−ＲＯＭ）若しくは他のコンパクトディスクストレージ、光ディスクストレージ（圧縮光ディスク、レーザディスク、光ディスク、デジタル多用途ディスク、Ｂｌｕ−ｒａｙディスク、若しくはこれらに類するものを含む）、磁気ディスク記憶媒体若しくは他の磁気ストレージ装置、又は他の媒体であってもよいが、これらに限定されない。メモリ１０４は独立に存在してもよく、通信バス１０６を介してプロセッサ１０５に接続される。メモリ１０４は、代わりに、プロセッサ１０５と集積されてもよい。
【手続補正４】
【補正対象書類名】明細書
【補正対象項目名】００５１
【補正方法】変更
【補正の内容】
【００５１】
プロセッサ１０５は、ＣＰＥの制御センターであり、汎用中央処理ユニット（Central  Processing  Unit、以下では略してＣＰＵ）、マイクロプロセッサ、特定用途向け集積回路（Application-Specific  Integrated  Circuit、以下では略してＡＳＩＣ）、又はこの出願のソリューションのプログラム実行を制御するように構成された１つ以上の集積回路とし得る。プロセッサ１０５は、メモリ１０４に格納されたソフトウェアプログラム及び／又はモジュールを走らせる又は実行することによって、及びメモリ１０４に格納されたデータを呼び出すことによって、この出願の実施形態にて提供されるアンテナチューニング不要な方法を実装し得る。
【国際調査報告】
2021534678.tif 000010
2021534678.tif 000011
2021534678.tif 000012
2021534678.tif 000013